(57)【要約】      （修正有）【課題】等価直列抵抗を大きくすることが可能な積層コンデンサを提供する。【解決手段】各第１の内部電極は、第２の内部電極と協働して静電容量を形成する主電極部分と、該主電極部分を第１の外部接続導体に接続する引き出し電極部分とを有する。各第２の内部電極は、第１の内部電極と協働して静電容量を形成する主電極部分と、該主電極部分を複数の第２の端子電極のうちの少なくとも何れか１つに接続する引き出し電極部分とを有する。素体は、複数の第１及び第２の内部電極のうちの少なくとも一組の第１及び第２内部電極の、当該第１及び第２の内部電極の対向方向における外側に配置される第１の内部接続導体を含む。第１の内部接続導体は、複数の第１の端子電極のうち少なくとも何れか１つの第１の端子電極と第１の外部接続導体とに接続される構造とする。【選択図】図２
2008244484.tif 000002
【特許請求の範囲】
【請求項１】
誘電特性を有する素体と、
前記素体の少なくとも一部を挟んで対向するように交互に該素体に配置された複数の第１及び第２の内部電極と、
前記素体の外表面に配置される第１の外部接続導体、複数の第１の端子電極、及び複数の第２の端子電極とを備え、
前記各第１の内部電極が、前記第２の内部電極と協働して静電容量を形成する主電極部分と、該主電極部分を前記第１の外部接続導体に接続する引き出し電極部分と、を有し、
前記各第２の内部電極が、前記第１の内部電極と協働して静電容量を形成する主電極部分と、該主電極部分を前記複数の第２の端子電極のうちの少なくとも何れか１つに接続する引き出し電極部分と、を有し、
前記素体は、前記複数の第１及び第２の内部電極のうちの少なくとも一組の第１及び第２内部電極の、当該第１及び第２の内部電極の対向方向における外側に配置される第１の内部接続導体を含み、
前記第１の内部接続導体は、前記複数の第１の端子電極のうち少なくとも何れか１つの第１の端子電極と前記第１の外部接続導体とに接続されることを特徴とする積層コンデンサ。
【請求項２】
前記各第２の内部電極の前記主電極部分は、前記複数の第２の端子電極のうち何れか１つの前記第２の端子電極のみに当該第２の内部電極の前記引き出し電極部分を介して接続されることを特徴とする請求項１記載の積層コンデンサ。
【請求項３】
前記各第２の内部電極は、少なくとも前記複数の第２の端子電極と同じ数の引き出し電極部分を有し、当該第２の内部電極の前記主電極部分は当該第２の内部電極の複数の前記引き出し電極部分それぞれを介して前記複数の第２の端子電極それぞれに接続されることを特徴とする請求項１記載の積層コンデンサ。
【請求項４】
前記複数の第１及び第２の端子電極それぞれの少なくとも一部は、前記一組の第１及び第２の内部電極の対向方向で見たときに、前記素体の外表面において交互に配置されていることを特徴とする請求項１〜３の何れか一項記載の積層コンデンサ。
【請求項５】
誘電特性を有する素体と、
前記素体の少なくとも一部を挟んで対向するように交互に該素体に配置された複数の第１及び第２の内部電極と、
前記素体の外表面に配置される第１及び第２の外部接続導体、複数の第１の端子電極、及び複数の第２の端子電極とを備え、
前記複数の前記第１の内部電極がそれぞれ、前記第２の内部電極と協働して静電容量を形成する主電極部分と、該主電極部分を前記第１の外部接続導体に接続する引き出し電極部分及び前記主電極部分を前記第２の外部接続導体に接続する引き出し電極部分の双方又は何れか一方と、を有し、
前記各第２の内部電極が、前記第１の内部電極と協働して静電容量を形成する主電極部分と、該主電極部分を前記複数の第２の端子電極のうちの少なくとも何れか１つに接続する引き出し電極部分と、を有し、
前記素体は、前記複数の第１及び第２の内部電極のうちの少なくとも一組の第１及び第２内部電極の、当該第１及び第２の内部電極の対向方向における外側にそれぞれ配置される第１及び第２の内部接続導体を含み、
前記第１の内部接続導体は、前記複数の第１の端子電極のうち少なくとも何れか１つの第１の端子電極と前記第１の外部接続導体とに接続され、
前記第２の内部接続導体は、前記複数の第１の端子電極のうち少なくとも何れか１つの第１の端子電極と前記第２の外部接続導体とに接続されることを特徴とする積層コンデンサ。
【請求項６】
前記各第２の内部電極の前記主電極部分は、前記複数の第２の端子電極のうち何れか１つの前記第２の端子電極のみに当該第２の内部電極の前記引き出し電極部分を介して接続されることを特徴とする請求項５記載の積層コンデンサ。
【請求項７】
前記各第２の内部電極は、少なくとも前記複数の第２の端子電極と同じ数の引き出し電極部分を有し、当該第２の内部電極の前記主電極部分は当該第２の内部電極の複数の前記引き出し電極部分それぞれを介して前記複数の第２の端子電極それぞれに接続されることを特徴とする請求項５記載の積層コンデンサ。
【請求項８】
前記複数の第１及び第２の端子電極それぞれの少なくとも一部は、前記一組の第１及び第２の内部電極の対向方向で見たときに、前記素体の外表面において交互に配置されていることを特徴とする請求項５〜７の何れか一項記載の積層コンデンサ。
【発明の詳細な説明】
【技術分野】
【０００１】
本発明は、積層コンデンサに関するものである。
【背景技術】
【０００２】
この種の積層コンデンサとして、複数の内部電極が配置された素体と、当該素体に形成された複数の端子電極とを備えたものが知られている（例えば、特許文献１参照）。
【０００３】
デジタル電子機器に搭載されている中央処理装置（ＣＰＵ）に供給用の電源においては低電圧化が進む一方で負荷電流及び過渡電流は増大している。従って、負荷電流の急激な変化に対して電源電圧の変動を許容値内に抑えることが非常に困難になったため、デカップリングコンデンサと呼ばれる積層コンデンサが電源に接続されるようになった。そして、負荷電流の過渡的な変動時にこの積層コンデンサからＣＰＵに電流を供給して、電源電圧の変動を抑えるようにしている。
【０００４】
近年、ＣＰＵの動作周波数の更なる高周波数化に伴って、負荷電流及び過渡電流は高速でより大きなものとなっており、デカップリングコンデンサに用いられる積層コンデンサには、等価直列インダクタンス（ＥＳＬ）を小さく抑制しつつ、大容量化と共に等価直列抵抗（ＥＳＲ）を適度に大きくし、インピーダンス値が広い周波数帯域に対してできるだけ一定となるようにしたいという要求がある。
【特許文献１】特開２０００−２０８３６１号公報
【発明の開示】
【発明が解決しようとする課題】
【０００５】
しかしながら、特許文献１では、積層コンデンサの等価直列抵抗については検討されていない。
【０００６】
本発明は、等価直列抵抗を大きくすることが可能な積層コンデンサを提供することを課題とする。
【課題を解決するための手段】
【０００７】
ところで、一般的な積層コンデンサにあっては、すべての内部電極の主電極部分が引き出し電極部分を介して対応する端子電極に接続されている。このため、複数の端子電極に接続される複数の引き出し電極部分が内部電極の数だけ存在することとなり、等価直列抵抗が小さくなってしまう。積層コンデンサの大容量化を図るために素体に配置される内部電極の数を多くすると、引き出し電極部分の数も多くなる。端子電極に接続される引き出し電極部分の抵抗成分は端子電極に対して並列接続されることとなるため、端子電極に接続される引き出し電極部分の数が多くなるに従い、積層コンデンサの等価直列抵抗がさらに小さくなってしまう。このように、積層コンデンサの大容量化と、等価直列抵抗を大きくするということとは、相反する要求である。
【０００８】
そこで、本発明者等は、大容量化と等価直列抵抗を大きくしたいとの要求を満たし得る積層コンデンサについて鋭意研究を行った。その結果、本発明者等は、素体内に配置された内部電極の数を同じとしても、内部電極を素体の表面に形成された外部接続導体及び素体内に配置された内部接続導体で接続ことができれば、等価直列抵抗を大きくすることが可能となるという新たな事実を見出すに至った。また、本発明者等は、素体に配置された第１及び第２の内部電極のうち一方のみを接続導体に接続させることで、積層コンデンサの等価直列抵抗を適度な大きさに調整することが可能となることを見出した。
【０００９】
かかる研究結果を踏まえ、本発明に係る積層コンデンサは、誘電特性を有する素体と、素体の少なくとも一部を挟んで対向するように交互に該素体に配置された複数の第１及び第２の内部電極と、素体の外表面に配置される第１の外部接続導体、複数の第１の端子電極、及び複数の第２の端子電極とを備え、各第１の内部電極が、第２の内部電極と協働して静電容量を形成する主電極部分と、該主電極部分を第１の外部接続導体に接続する引き出し電極部分と、を有し、各第２の内部電極が、第１の内部電極と協働して静電容量を形成する主電極部分と、該主電極部分を複数の第２の端子電極のうちの少なくとも何れか１つに接続する引き出し電極部分と、を有し、素体は、複数の第１及び第２の内部電極のうちの少なくとも一組の第１及び第２内部電極の、当該第１及び第２の内部電極の対向方向における外側に配置される第１の内部接続導体を含み、第１の内部接続導体は、複数の第１の端子電極のうち少なくとも何れか１つの第１の端子電極と第１の外部接続導体とに接続されることを特徴とする。
【００１０】
あるいは、本発明に係る積層コンデンサは、誘電特性を有する素体と、素体の少なくとも一部を挟んで対向するように交互に該素体に配置された複数の第１及び第２の内部電極と、素体の外表面に配置される第１及び第２の外部接続導体、複数の第１の端子電極、及び複数の第２の端子電極とを備え、複数の第１の内部電極がそれぞれ、第２の内部電極と協働して静電容量を形成する主電極部分と、該主電極部分を第１の外部接続導体に接続する引き出し電極部分及び主電極部分を第２の外部接続導体に接続する引き出し電極部分の双方又は何れか一方と、を有し、各第２の内部電極が、第１の内部電極と協働して静電容量を形成する主電極部分と、該主電極部分を複数の第２の端子電極のうちの少なくとも何れか１つに接続する引き出し電極部分と、を有し、素体は、複数の第１及び第２の内部電極のうちの少なくとも一組の第１及び第２内部電極の、当該第１及び第２の内部電極の対向方向における外側にそれぞれ配置される第１及び第２の内部接続導体を含み、第１の内部接続導体は、複数の第１の端子電極のうち少なくとも何れか１つの第１の端子電極と第１の外部接続導体とに接続され、第２の内部接続導体は、複数の第１の端子電極のうち少なくとも何れか１つの第１の端子電極と第２の外部接続導体とに接続されることを特徴とする。
【００１１】
すなわち、例えば、積層コンデンサは、誘電特性を有する素体と、素体の少なくとも一部を挟んで対向するように交互に該素体に配置された複数の第１及び第２の内部電極と、素体の外表面に配置される第１及び第２の外部接続導体、複数の第１の端子電極、及び複数の第２の端子電極とを備え、複数の第１の内部電極がそれぞれ、第２の内部電極と協働して静電容量を形成する主電極部分と、該主電極部分を第１の外部接続導体に接続する引き出し電極部分と、主電極部分を第２の外部接続導体に接続する引き出し電極部分と、を有し、各第２の内部電極が、第１の内部電極と協働して静電容量を形成する主電極部分と、該主電極部分を複数の第２の端子電極のうちの少なくとも何れか１つに接続する引き出し電極部分と、を有し、素体は、複数の第１及び第２の内部電極のうちの少なくとも一組の第１及び第２内部電極の、当該第１及び第２の内部電極の対向方向における外側にそれぞれ配置される第１及び第２の内部接続導体を含み、第１の内部接続導体は、複数の第１の端子電極のうち少なくとも何れか１つの第１の端子電極と第１の外部接続導体とに接続され、第２の内部接続導体は、複数の第１の端子電極のうち少なくとも何れか１つの第１の端子電極と第２の外部接続導体とに接続されていてもよい。
【００１２】
あるいは、例えば、積層コンデンサは、誘電特性を有する素体と、素体の少なくとも一部を挟んで対向するように交互に該素体に配置された複数の第１及び第２の内部電極と、素体の外表面に配置される第１及び第２の外部接続導体、複数の第１の端子電極、及び複数の第２の端子電極とを備え、１以上であって且つ複数の第１の内部電極の総数よりも少ない第１の数の第１の内部電極がそれぞれ、第２の内部電極と協働して静電容量を形成する主電極部分と、該主電極部分を第１の外部接続導体に接続する引き出し電極部分と、を有し、複数の第１の内部電極の総数よりも第１の数だけ少ない第２の数の第１の内部電極がそれぞれ、第２の内部電極と協働して静電容量を形成する主電極部分と、該主電極部分を第２の外部接続導体に接続する引き出し電極部分と、を有し、各第２の内部電極が、第１の内部電極と協働して静電容量を形成する主電極部分と、該主電極部分を複数の第２の端子電極のうちの少なくとも何れか１つに接続する引き出し電極部分と、を有し、素体は、複数の第１及び第２の内部電極のうちの少なくとも一組の第１及び第２内部電極の、当該第１及び第２の内部電極の対向方向における外側にそれぞれ配置される第１及び第２の内部接続導体を含み、第１の内部接続導体は、複数の第１の端子電極のうち少なくとも何れか１つの第１の端子電極と第１の外部接続導体とに接続され、第２の内部接続導体は、複数の第１の端子電極のうち少なくとも何れか１つの第１の端子電極と第２の外部接続導体とに接続されていてもよい。
【００１３】
これらの積層コンデンサでは、第１の内部電極が第１の端子電極に直接接続されていない。その代わり、これらの積層コンデンサの第１の内部電極は、外部接続導体及び内部接続導体を介して電気的に接続される。このように、第１の内部電極を第１の端子電極に物理的に接続することなく、接続導体を介して電気的に接続することによって、上記の積層コンデンサでは等価直列抵抗の増大が可能となる。
【００１４】
また、各第２の内部電極の主電極部分は、複数の第２の端子電極のうち何れか１つの第２の端子電極のみに当該第２の内部電極の引き出し電極部分を介して接続されることが好ましい。
【００１５】
この場合、各第２の内部電極の主電極部分は、１つの引き出し電極部分によって１つの第２の端子電極に接続している。そのため、この積層コンデンサでは、等価直列抵抗を大きくすることが可能となる。
【００１６】
あるいは、各第２の内部電極は、少なくとも複数の第２の端子電極と同じ数の引き出し電極部分を有し、当該第２の内部電極の主電極部分は当該第２の内部電極の複数の引き出し電極部分それぞれを介して複数の第２の端子電極それぞれに接続されることが好ましい。
【００１７】
この場合、各第２の内部電極には、第２の端子電極の数以上の引き出し電極部分が含まれる。そのため、等価直列抵抗を小さくすることが可能となる。
【００１８】
複数の第１及び第２の端子電極それぞれの少なくとも一部は、一組の第１及び第２の内部電極の対向方向で見たときに、素体の外表面において交互に配置されていることが好ましい。
【００１９】
この場合、隣り合う端子電極を異極性に接続することが可能となり、等価直列インダクタンスを小さくすることが可能となる。
【発明の効果】
【００２０】
本発明によれば、等価直列抵抗を非常に高い精度でもって大きくすることが可能な積層コンデンサを提供することができる。
【発明を実施するための最良の形態】
【００２１】
本発明は、以下の説明及び添付図面によって、より一層良く理解されると考えられる。ただし、これらの説明及び添付図面は、本発明の例示であって、本発明を限定するものではない。
【００２２】
本発明の適用例については、以下の説明で明らかになると考えられる。しかし、以下の実施形態は、本発明の好ましい例示ではあるものの、例示に過ぎず、以下の説明から本発明の範囲内における様々な変形が当業者に明らかになるであろう。
【００２３】
以下、添付図面を参照して、好適な実施形態について詳細に説明する。なお、説明において、同一要素又は同一機能を有する要素には、同一符号を用いることとし、重複する説明は省略する。
（第１実施形態）
【００２４】
まず、図１及び図２に基づいて、第１実施形態に係る積層コンデンサＣ１の構成について説明する。図１は、第１実施形態に係る積層コンデンサの斜視図である。図２は、第１実施形態に係る積層コンデンサに含まれるコンデンサ素体の分解斜視図である。
【００２５】
積層コンデンサＣ１は、図１に示すように、直方体状をしたコンデンサ素体Ｌ１と、コンデンサ素体Ｌ１の外表面に配置された複数（本実施形態では４つ）の第１の端子電極１Ａ〜１Ｄ、複数（本実施形態では４つ）の第２の端子電極２Ａ〜２Ｄ、第１の外部接続導体３、及び第２の外部接続導体４とを備える。コンデンサ素体Ｌ１は、相対向する長方形状の第１の主面Ｌ１ａ及び第２の主面Ｌ１ｂと、相対向する第１の端面Ｌ１ｃ及び第２の端面Ｌ１ｄと、相対向する第１の側面Ｌ１ｅ及び第２の側面Ｌ１ｆとを含んでいる。第１及び第２の端面Ｌ１ｃ、Ｌ１ｄは、第１及び第２の主面Ｌ１ａ、Ｌ１ｂ間を連結するように第１及び第２の主面Ｌ１ａ、Ｌ１ｂの短辺方向に伸びている。第１及び第２の側面Ｌ１ｅ、Ｌ１ｆは、第１及び第２の主面Ｌ１ａ、Ｌ１ｂ間を連結するように第１及び第２の主面Ｌ１ａ、Ｌ１ｂの長辺方向に伸びている。
【００２６】
コンデンサ素体Ｌ１の第１の側面Ｌ１ｅには、第１の端子電極１Ａ、１Ｂ、及び第２の端子電極２Ａ、２Ｂが配置されている。第１の端子電極１Ａ、１Ｂ、及び第２の端子電極２Ａ、２Ｂは、第１の側面Ｌ１ｅ上において、第１の端面Ｌ１ｃ側から第２の端面Ｌ１ｄ側に向かって、第２の端子電極２Ａ、第１の端子電極１Ａ、第２の端子電極２Ｂ、第１の端子電極１Ｂの順で配置されている。
【００２７】
すなわち、第１及び第２の端子電極１Ａ〜１Ｄ、２Ａ〜２Ｄそれぞれの一部である第１及び第２の端子電極１Ａ、１Ｂ、２Ａ、２Ｂは、第１及び第２の主面Ｌ１ａ、Ｌ１ｂの対向方向で見たときに、第１の側面Ｌ１ｅ上において交互に配置されている。
【００２８】
コンデンサ素体Ｌ１の第２の側面Ｌ１ｆには、第１の端子電極１Ｃ、１Ｄ、及び第２の端子電極２Ｃ、２Ｄが配置されている。第１の端子電極１Ｃ、１Ｄ、及び第２の端子電極２Ｃ、２Ｄは、第１の側面Ｌ１ｆ上において、第１の端面Ｌ１ｃ側から第２の端面Ｌ１ｄ側に向かって、第１の端子電極１Ｃ、第２の端子電極２Ｃ、第１の端子電極１Ｄ、第２の端子電極２Ｄの順で配置されている。
【００２９】
すなわち、第１及び第２の端子電極１Ａ〜１Ｄ、２Ａ〜２Ｄそれぞれの一部である第１及び第２の端子電極１Ｃ、１Ｄ、２Ｃ、２Ｄは、第１及び第２の主面Ｌ１ａ、Ｌ１ｂの対向方向で見たときに、第２の側面Ｌ１ｆ上において交互に配置されている。
【００３０】
コンデンサ素体Ｌ１の第１の端面Ｌ１ｃには、第１の外部接続導体３が配置されている。コンデンサ素体Ｌ１の第２の端面Ｌ１ｄには、第２の外部接続導体４が配置されている。第１及び第２の端子電極１Ａ〜１Ｄ、２Ａ〜２Ｄ、第１及び第２の外部接続導体３、４は、例えば、導電性金属粉末及びガラスフリットを含む導電性ペーストをコンデンサ素体Ｌ１の対応する外表面の付与し、焼き付けることによって形成される。必要に応じて、焼き付けられた電極の上にめっき層が形成されることもある。
【００３１】
コンデンサ素体Ｌ１は、図２に示されるように、複数（本実施形態では１０層）の誘電体層１０〜１９と、複数（本実施形態では３層）の第１の内部電極３０〜３２と、複数（本実施形態では４層）の第２の内部電極４０〜４３とを有している。コンデンサ素体Ｌ１は、さらに、複数（本実施形態では２層）の内部接続導体層５０、６０を含んでいる。複数の第１及び第２の内部電極３０〜３２、４０〜４３は、誘電体層１２〜１７を介して交互に配置されている。また、内部接続導体層５０、６０は何れも、交互に配置された第１及び第２の内部電極３０〜３２、４０〜４３の、第１及び第２の主面Ｌ１ａ、Ｌ１ｂの対向方向における外側に配置されている。誘電体層１２〜１７を介して交互に配置された第１及び第２の内部電極３０〜３２、４０〜４３は、内部接続導体層５０と内部接続導体層６０との間に位置する。
【００３２】
各誘電体層１０〜１９は、第１及び第２の主面Ｌ１ａ、Ｌ１ｂに平行な方向に伸びており、第１及び第２の主面Ｌ１ａ、Ｌ１ｂの対向方向に積層されている。各誘電体層１０〜１９は、たとえば誘電体セラミックを含むセラミックグリーンシートの焼結体から構成される。実際の積層コンデンサＣ１では、各誘電体層１０〜１９は、誘電体層１０〜１９の間の境界が視認できない程度に一体化されている。
【００３３】
第１の内部電極３０〜３２と第２の内部電極４０〜４３とは、コンデンサ素体Ｌ１において、誘電体層１０〜１９の積層方向、すなわち第１及び第２の主面Ｌ１ａ、Ｌ１ｂの対向方向に交互に配置されている。第１及び第２の内部電極３０〜３２、４０〜４３はそれぞれ、少なくとも一つの誘電体層１２〜１７を挟んで対向するように配置されている。第１及び第２の内部電極３０〜３２、４０〜４３は、例えば導電性ペーストの焼結体から構成される。
【００３４】
各第１の内部電極３０〜３２は、主電極部分３０ａ〜３２ａと、引き出し電極部分３０ｂ〜３２ｂとを含んでいる。主電極部分３０ａ〜３２ａは、長方形状を呈しており、第１及び第２の主面Ｌ１ａ、Ｌ１ｂの長辺方向を長辺方向としている。
【００３５】
１以上であって且つ第１の内部電極の総数（本実施形態では３）よりも少ない２つ（第１の数）の第１の内部電極３０、３２の引き出し電極部分３０ｂ、３２ｂは、主電極部分３０ａ、３２ａの第１の端面Ｌ１ｃ側の端部から第１の端面Ｌ１ｃに向けて伸びており、第１の端面Ｌ１ｃまで引き出されている。引き出し電極部分３０ｂ、３２ｂは、第１の外部接続導体３に電気的且つ物理的に接続されている。
【００３６】
第１の内部電極の総数（本実施形態では３）よりも第１の数、すなわち２だけ少ない１つ（第２の数）の第１の内部電極３１の引き出し電極部分３１ｂは、主電極部分３１ａの第２の端面Ｌ１ｄ側の端部から第２の端面Ｌ１ｄに向けて伸びており、第２の端面Ｌ１ｄまで引き出されている。引き出し電極部分３１ｂは、第２の外部接続導体４に電気的且つ物理的に接続されている。
【００３７】
各第２の内部電極４０〜４３は、主電極部分４０ａ〜４３ａと、引き出し電極部分４０ｂ〜４３ｂとを含んでいる。主電極部分４０ａ〜４３ａは、長方形状を呈しており、第１及び第２の主面Ｌ１ａ、Ｌ１ｂの長辺方向を長辺方向としている。
【００３８】
第２の内部電極４０の引き出し電極部分４０ｂは、主電極部分４０ａの第１の側面Ｌ１ｅ側の端部から第１の側面Ｌ１ｅに向けて伸びており、第１の側面Ｌ１ｅまで引き出されている。引き出し電極部分４０ｂは、第２の端子電極２Ａに電気的且つ物理的に接続されている。
【００３９】
第２の内部電極４１の引き出し電極部分４１ｂは、主電極部分４１ａの第１の側面Ｌ１ｅ側の端部から第１の側面Ｌ１ｅに向けて伸びており、第１の側面Ｌ１ｅまで引き出されている。引き出し電極部分４１ｂは、第２の端子電極２Ｂに電気的且つ物理的に接続されている。
【００４０】
第２の内部電極４２の引き出し電極部分４２ｂは、主電極部分４２ａの第２の側面Ｌ１ｆ側の端部から第２の側面Ｌ１ｆに向けて伸びており、第２の側面Ｌ１ｆまで引き出されている。引き出し電極部分４２ｂは、第２の端子電極２Ｃに電気的且つ物理的に接続されている。
【００４１】
第２の内部電極４３の引き出し電極部分４３ｂは、主電極部分４３ａの第２の側面Ｌ１ｆ側の端部から第２の側面Ｌ１ｆに向けて伸びており、第２の側面Ｌ１ｆまで引き出されている。引き出し電極部分４３ｂは、第２の端子電極２Ｄに電気的且つ物理的に接続されている。
【００４２】
このように、各第２の内部電極４０〜４３の主電極部分４０ａ〜４３ａは、複数の第２の端子電極２Ａ〜２Ｄのうち何れか１つの第２の端子電極のみに引き出し電極部分４０ｂ〜４３ｂを介して接続されている。
【００４３】
第１の内部電極３０〜３２の主電極部分３０ａ〜３２ａと第２の内部電極４０〜４３の主電極部分４０ａ〜４３ａとは、誘電体層１２〜１７を挟んで対向している。そのため、第１の内部電極３０〜３２の主電極部分３０ａ〜３２ａと第２の内部電極４０〜４３の主電極部分４０ａ〜４３ａとは協働して所定の静電容量成分を形成することとなる。
【００４４】
内部接続導体層５０、６０はそれぞれ、第１の内部接続導体５１、６１及び第２の内部接続導体５２、６２を有する。内部接続導体層５０において第１及び第２の内部接続導体５１、５２は、第１及び第２の端面Ｌ１ｃ、Ｌ１ｄの対向方向に沿って併置されている。内部接続導体層６０において第１及び第２の内部接続導体６１、６２は、第１及び第２の端面Ｌ１ｃ、Ｌ１ｄの対向方向に沿って併置されている。
【００４５】
第１の内部接続導体５１、６１は、第１導体部分５１ａ、６１ａと、第２導体部分５１ｂ、６１ｂと、第３導体部分５１ｃ、６１ｃとを含んでいる。第１導体部分５１ａ、６１ａは、長方形状を呈しており、第１及び第２の主面Ｌ１ａ、Ｌ１ｂの長辺方向を長辺方向としている。第１導体部分５１ａ、６１ａの長辺は、第１及び第２の主面Ｌ１ａ、Ｌ１ｂの対向方向で見て、第１の端子電極１Ａに相当する位置から第１の端面Ｌ１ｃに向けて伸びている。そして、第１導体部分５１ａ、６１ａは、第１の端面Ｌ１ｃに引き出されている。第１導体部分５１ａ、６１ａは、第１の外部接続導体３に電気的且つ物理的に接続されている。
【００４６】
第１導体部分５１ａ、６１ａの短辺は、第１及び第２の主面Ｌ１ａ、Ｌ１ｂの対向方向で見て、第１の外部接続導体３に対応する位置に位置する。内部接続導体層５０上の第１の内部接続導体５１の電流経路、つまり第１の端子電極１Ｃから第１の外部接続導体３への電流経路及び第１の端子電極１Ａから第１の外部接続導体３への電流経路は所定の等価直列抵抗を確保するため、一定に保たれる。同様のことが、第２の内部接続導体５２の第１の端子電極１Ｄから第２の外部接続導体４への電流経路及び第１の端子電極１Ｂから第２の外部接続導体４への電流経路にも当てはまる。さらに、同様のことが、全ての内部接続導体層６０上の内部導体６１、６２にも当てはまる。
【００４７】
第１の内部接続導体５１、６１の第２導体部分５１ｂ、６１ｂは、第１導体部分５１ａ、６１ａの第１の側面Ｌ１ｅ側の長辺における第２の端面Ｌ１ｄ側端部から第１の側面Ｌ１ｅに向けて伸びており、第１の側面Ｌ１ｅまで引き出されている。第２導体部分５１ｂ、６１ｂは、第１の端子電極１Ａに電気的且つ物理的に接続されている。
【００４８】
第１の内部接続導体５１、６１の第３導体部分５１ｃ、６１ｃは、第１導体部分５１ａ、６１ａの第２の側面Ｌ１ｆ側の長辺から第２の側面Ｌ１ｆに向けて伸びており、第２の側面Ｌ１ｆまで引き出されている。第３導体部分５１ｃ、６１ｃは、第１の端子電極１Ｃに電気的且つ物理的に接続されている。
第１及び第２の端面Ｌ１ｃ、Ｌ１ｄの対向方向における第２導体部分５１ｂの長さと第３導体部分５１ｃの長さとは等しい。第１及び第２の端面Ｌ１ｃ、Ｌ１ｄの対向方向における第２導体部分６１ｂの長さと第３導体部分６１ｃの長さとは等しい。第１及び第２の側面Ｌ１ｅ、Ｌ１ｆの対向方向における第２導体部分５１ｂの長さと第３導体部分５１ｃの長さとは等しい。第１及び第２の側面Ｌ１ｅ、Ｌ１ｆの対向方向における第２導体部分６１ｂの長さと第３導体部分６１ｃの長さとは等しい。
【００４９】
第２の内部接続導体５２、６２は、第４導体部分５２ａ、６２ａと、第５導体部分５２ｂ、６２ｂと、第６導体部分５２ｃ、６２ｃとを含んでいる。第４導体部分５２ａ、６２ａは、長方形状を呈しており、第１及び第２の主面Ｌ１ａ、Ｌ１ｂの長辺方向を長辺方向としている。第１導体部分５２ａ、６２ａの長辺は、第１及び第２の主面Ｌ１ａ、Ｌ１ｂの対向方向で見て、第１の端子電極１Ｄに相当する位置から第２の端面Ｌ１ｄに向けて伸びている。そして、第４導体部分５２ａ、６２ａは、第２の端面Ｌ１ｄに引き出されている。第４導体部分５２ａ、６２ａは、第２の外部接続導体４に電気的且つ物理的に接続されている。
【００５０】
第４導体部分５２ａ、６２ａの短辺は、第１及び第２の主面Ｌ１ａ、Ｌ１ｂの対向方向で見て、第２の外部接続導体４に対応する位置に位置する。
【００５１】
第２の内部接続導体５２、６２の第５導体部分５２ｂ、６２ｂは、第４導体部分５２ａ、６２ａの第１の側面Ｌ１ｅ側の長辺から第１の側面Ｌ１ｅに向けて伸びており、第１の側面Ｌ１ｅまで引き出されている。第５導体部分５２ｂ、６２ｂは、第１の端子電極１Ｂに電気的且つ物理的に接続されている。
【００５２】
第２の内部接続導体５２、６２の第６導体部分５２ｃ、６２ｃは、第１導体部分５２ａ、６２ａの第２の側面Ｌ１ｆ側の長辺における第１の端面Ｌ１ｃ側端部から第２の側面Ｌ１ｆに向けて伸びており、第２の側面Ｌ１ｆまで引き出されている。第６導体部分５２ｃ、６２ｃは、第１の端子電極１Ｄに電気的且つ物理的に接続されている。
第１及び第２の端面Ｌ１ｃ、Ｌ１ｄの対向方向における第５導体部分５２ｂの長さと第６導体部分５２ｃの長さとは等しい。第１及び第２の端面Ｌ１ｃ、Ｌ１ｄの対向方向における第５導体部分６２ｂの長さと第６導体部分６２ｃの長さとは等しい。第１及び第２の側面Ｌ１ｅ、Ｌ１ｆの対向方向における第５導体部分５２ｂの長さと第６導体部分５２ｃの長さとは等しい。第１及び第２の側面Ｌ１ｅ、Ｌ１ｆの対向方向における第５導体部分６２ｂの長さと第６導体部分６２ｃの長さとは等しい。
【００５３】
第１の内部電極３０、３２の主電極部分３０ａ、３２ａは、第１の外部接続導体３及び第１の内部接続導体５１、６１を介して、第１の端子電極１Ａ、１Ｃと電気的に接続される。第１の内部電極３１の主電極部分３１ａは、第２の外部接続導体４及び第２の内部接続導体５２、６２を介して、第１の端子電極１Ｂ、１Ｄと電気的に接続される。
【００５４】
積層コンデンサＣ１では、第１の内部電極３０〜３２は第１の端子電極１Ａ〜１Ｄに直接接続されていない。その代わり、積層コンデンサＣ１の第１の内部電極３０、３２は、第１の外部接続導体３及び第１の内部接続導体５１、６１を介して、第１の端子電極１Ａ、１Ｃに電気的に接続される。積層コンデンサＣ１の第１の内部電極３１は、第２の外部接続導体４及び第２の内部接続導体５２、６２を介して、第１の端子電極１Ｂ、１Ｄに電気的に接続される。その結果、積層コンデンサＣ１では、すべての第１の内部電極が第１の端子電極に物理的に接続されている従来の積層コンデンサに比べ、等価直列抵抗を大きくすることが可能となる。
【００５５】
特に、積層コンデンサＣ１では、第２の内部電極４０〜４３は第２の端子電極２Ａ〜２Ｄに直接、物理的に接続されている。そのため、積層コンデンサＣ１の等価直接抵抗を適度な大きさ、すなわち過度に大きくならない程度に大きくすることが可能となる。
【００５６】
また、積層コンデンサＣ１では、各第２の内部電極の主電極部分は、１つの引き出し電極部分４０ｂ〜４３ｂによって１つの第２の端子電極２Ａ〜２Ｄに接続している。そのため、積層コンデンサＣ１では、等価直列抵抗をさらに大きくすることが可能となる。
第２導体部分５１ｂ、６１ｂの第１及び第２の端面Ｌ１ｃ、Ｌ１ｄの対向方向での長さ及び第１及び第２の側面Ｌ１ｅ、Ｌ１ｆの対向方向での長さがそれぞれ、第３導体部分５１ｃ、６１ｃの対応する長さと等しいので、第１の内部接続導体５１、６１に関してどのような電流経路がとられても、ＥＳＲ（等価直列抵抗）及びＥＳＬ（等価直列インダクタンス）は一定である。第５導体部分５２ｂ、６２ｂの第１及び第２の端面Ｌ１ｃ、Ｌ１ｄの対向方向での長さ及び第１及び第２の側面Ｌ１ｅ、Ｌ１ｆの対向方向での長さがそれぞれ、第６導体部分５２ｃ、６２ｃの対応する長さと等しいので、第２の内部接続導体５２、６２に関してどのような電流経路がとられても、ＥＳＲ（等価直列抵抗）及びＥＳＬ（等価直列インダクタンス）は一定である。このような構成によって、積層コンデンサＣ１の等価直列抵抗を精度良く制御することが可能となっている。
【００５７】
また、積層コンデンサＣ１では、第１及び第２の端子電極１Ａ、１Ｂ、２Ａ、２Ｂは、第１及び第２の主面Ｌ２ａ、Ｌ２ｂの対向方向で見たときに、第１の側面Ｌ２ｅ上において交互に配置されている。この場合、第１の側面Ｌ２ｅ上において、隣り合う端子電極を異極性に接続することが可能となり、等価直列インダクタンスを小さくすることが可能となる。
【００５８】
さらに、積層コンデンサＣ１では、第１及び第２の端子電極１Ｃ、１Ｄ、２Ｃ、２Ｄは、第１及び第２の主面Ｌ２ａ、Ｌ２ｂの対向方向で見たときに、第２の側面Ｌ２ｆ上において交互に配置されている。したがって、第２の側面Ｌ２ｆ上において、隣り合う端子電極を異極性に接続することが可能となり、等価直列インダクタンスをさらに小さくすることが可能となる。
（第２実施形態）
【００５９】
図３及び図４を参照して、第２実施形態に係る積層コンデンサの構成について説明する。第２実施形態に係る積層コンデンサＣ２は、第２の内部電極と第２の端子電極との接続関係の点で第１実施形態に係る積層コンデンサＣ１と相違する。図３は、第２実施形態に係る積層コンデンサの斜視図である。図４は、第２実施形態に係る積層コンデンサに含まれるコンデンサ素体の分解斜視図である。
【００６０】
積層コンデンサＣ２は、図３に示すように、直方体状をしたコンデンサ素体Ｌ２と、コンデンサ素体Ｌ２の外表面に配置された複数（本実施形態では４つ）の第１の端子電極１Ａ〜１Ｄ、複数（本実施形態では４つ）の第２の端子電極２Ａ〜２Ｄ、第１の外部接続導体３、及び第２の外部接続導体４とを備える。コンデンサ素体Ｌ２は、相対向する長方形状の第１の主面Ｌ２ａ及び第２の主面Ｌ２ｂと、相対向する第１の端面Ｌ２ｃ及び第２の端面Ｌ２ｄと、相対向する第１の側面Ｌ２ｅ及び第２の側面Ｌ２ｆとを含んでいる。第１及び第２の端面Ｌ２ｃ、Ｌ２ｄは、第１及び第２の主面Ｌ２ａ、Ｌ２ｂ間を連結するように第１及び第２の主面Ｌ２ａ、Ｌ２ｂの短辺方向に伸びている。第１及び第２の側面Ｌ２ｅ、Ｌ２ｆは、第１及び第２の主面Ｌ２ａ、Ｌ２ｂ間を連結するように第１及び第２の主面Ｌ２ａ、Ｌ２ｂの長辺方向に伸びている。
【００６１】
コンデンサ素体Ｌ２の第１の側面Ｌ２ｅには、第１の端子電極１Ａ、１Ｂ、及び第２の端子電極２Ａ、２Ｂが、第１の端面Ｌ２ｃ側から第２の端面Ｌ２ｄ側に向かって、第２の端子電極２Ａ、第１の端子電極１Ａ、第２の端子電極２Ｂ、第１の端子電極１Ｂの順で配置されている。すなわち、第１及び第２の端子電極１Ａ、１Ｂ、２Ａ、２Ｂは、第１及び第２の主面Ｌ２ａ、Ｌ２ｂの対向方向で見たときに、第１の側面Ｌ２ｅ上において交互に配置されている。
【００６２】
コンデンサ素体Ｌ２の第２の側面Ｌ２ｆには、第１の端子電極１Ｃ、１Ｄ、及び第２の端子電極２Ｃ、２Ｄが、第１の端面Ｌ２ｃ側から第２の端面Ｌ２ｄ側に向かって、第１の端子電極１Ｃ、第２の端子電極２Ｃ、第１の端子電極１Ｄ、第２の端子電極２Ｄの順で配置されている。すなわち、第１及び第２の端子電極１Ｃ、１Ｄ、２Ｃ、２Ｄは、第１及び第２の主面Ｌ２ａ、Ｌ２ｂの対向方向で見たときに、第２の側面Ｌ２ｆ上において交互に配置されている。
【００６３】
コンデンサ素体Ｌ２の第１の端面Ｌ２ｃには、第１の外部接続導体３が配置されている。コンデンサ素体Ｌ２の第２の端面Ｌ２ｄには、第２の外部接続導体４が配置されている。
【００６４】
コンデンサ素体Ｌ２は、図４に示されるように、複数（本実施形態では１０層）の誘電体層１０〜１９と、複数（本実施形態では３層）の第１の内部電極３０〜３２と、複数（本実施形態では４層）の第２の内部電極４０〜４３とを有している。コンデンサ素体Ｌ２は、さらに、複数（本実施形態では２層）の内部接続導体層５０、６０を含んでいる。複数の第１及び第２の内部電極３０〜３２、４０〜４３は、誘電体層１２〜１７を介して交互に配置されている。また、内部接続導体層５０、６０は何れも、交互に配置された第１及び第２の内部電極３０〜３２、４０〜４３の、第１及び第２の主面Ｌ２ａ、Ｌ２ｂの対向方向における外側に配置されている。誘電体層１２〜１７を介して交互に配置された第１及び第２の内部電極３０〜３２、４０〜４３は、内部接続導体層５０と内部接続導体層６０との間に位置する。
【００６５】
第１の内部電極３０〜３２と第２の内部電極４０〜４３とは、コンデンサ素体Ｌ２において、誘電体層１０〜１９の積層方向、すなわち第１及び第２の主面Ｌ２ａ、Ｌ２ｂの対向方向に交互に配置されている。第１及び第２の内部電極３０〜３２、４０〜４３はそれぞれ、少なくとも一つの誘電体層１２〜１７を挟んで対向するように配置されている。
【００６６】
各第１の内部電極３０〜３２は、主電極部分３０ａ〜３２ａと、引き出し電極部分３０ｂ〜３２ｂと、引き出し電極部分３０ｃ〜３２ｃとを含んでいる。主電極部分３０ａ〜３２ａは、長方形状を呈しており、第１及び第２の主面Ｌ２ａ、Ｌ２ｂの長辺方向を長辺方向としている。
【００６７】
複数の第１の内部電極３０〜３２の引き出し電極部分３０ｂ〜３２ｂはそれぞれ、主電極部分３０ａ、３２ａの第１の端面Ｌ２ｃ側の端部から第１の端面Ｌ２ｃに向けて伸びており、第１の端面Ｌ２ｃまで引き出されている。引き出し電極部分３０ｂ〜３２ｂは、第１の外部接続導体３に電気的且つ物理的に接続されている。
【００６８】
複数の第１の内部電極３０〜３２の引き出し電極部分３０ｃ〜３２ｃはそれぞれ、主電極部分３１ａの第２の端面Ｌ２ｄ側の端部から第２の端面Ｌ２ｄに向けて伸びており、第２の端面Ｌ２ｄまで引き出されている。引き出し電極部分３０ｃ〜３２ｃは、第２の外部接続導体４に電気的且つ物理的に接続されている。
【００６９】
各第２の内部電極４０〜４３は、主電極部分４０ａ〜４３ａと、引き出し電極部分４０ｂ〜４３ｂと、引き出し電極部分４０ｃ〜４３ｃと、引き出し電極部分４０ｄ〜４３ｄと、引き出し電極部分４０ｅ〜４３ｅとを含んでいる。すなわち、各第２の内部電極４０〜４３は、第２の端子電極２Ａ〜２Ｄと同じ数（本実施形態では４つ）の引き出し電極部分を含んでいる。主電極部分４０ａ〜４３ａは、長方形状を呈しており、第１及び第２の主面Ｌ２ａ、Ｌ２ｂの長辺方向を長辺方向としている。
【００７０】
第２の内部電極４０〜４３の引き出し電極部分４０ｂ〜４３ｂは、主電極部分４０ａ〜４３ａの第１の側面Ｌ２ｅ側の端部から第１の側面Ｌ２ｅに向けて伸びており、第１の側面Ｌ２ｅまで引き出されている。引き出し電極部分４０ｂ〜４３ｂは、第２の端子電極２Ａに電気的且つ物理的に接続されている。
【００７１】
第２の内部電極４０〜４３の引き出し電極部分４０ｃ〜４３ｃは、主電極部分４０ａ〜４３ａの第１の側面Ｌ２ｅ側の端部から第１の側面Ｌ２ｅに向けて伸びており、第１の側面Ｌ２ｅまで引き出されている。引き出し電極部分４０ｃ〜４３ｃは、第２の端子電極２Ｂに電気的且つ物理的に接続されている。
【００７２】
第２の内部電極４０〜４３の引き出し電極部分４０ｄ〜４３ｄは、主電極部分４０ａ〜４３ａの第２の側面Ｌ２ｆ側の端部から第２の側面Ｌ２ｆに向けて伸びており、第２の側面Ｌ２ｆまで引き出されている。引き出し電極部分４０ｄ〜４３ｄは、第２の端子電極２Ｃに電気的且つ物理的に接続されている。
【００７３】
第２の内部電極４０〜４３の引き出し電極部分４０ｅ〜４３ｅは、主電極部分４０ａ〜４３ａの第２の側面Ｌ２ｆ側の端部から第２の側面Ｌ２ｆに向けて伸びており、第２の側面Ｌ２ｆまで引き出されている。引き出し電極部分４０ｅ〜４３ｅは、第２の端子電極２Ｄに電気的且つ物理的に接続されている。
【００７４】
したがって、各第２の内部電極４０〜４３において、引き出し電極部分４０ｂ〜４３ｂ、４０ｃ〜４３ｃは、第１及び第２の主面Ｌ２ａ、Ｌ２ｂの対向方向で見て、第１の端面Ｌ２ｃ側から第２の端面Ｌ２ｄ側に向かって、引き出し電極部分４０ｂ〜４３ｂ、引き出し電極部分４０ｃ〜４３ｃの順で配置されている。各第２の内部電極４０〜４３において、引き出し電極部分４０ｄ〜４３ｄ、４０ｅ〜４３ｅは、第１及び第２の主面Ｌ２ａ、Ｌ２ｂの対向方向で見て、第１の端面Ｌ２ｃ側から第２の端面Ｌ２ｄ側に向かって、引き出し電極部分４０ｄ〜４３ｄ、引き出し電極部分４０ｅ〜４３ｅの順で配置されている。
【００７５】
このように、第２の内部電極４０〜４３の主電極部分４０ａ〜４３ａは第２の内部電極４０〜４３の複数の引き出し電極部分４０ｂ〜４３ｂ、４０ｃ〜４３ｃ、４０ｄ〜４３ｄ、４０ｅ〜４３ｅそれぞれを介して複数の第２の端子電極２Ａ〜２Ｄそれぞれに接続されている。
【００７６】
第１の内部電極３０〜３２の主電極部分３０ａ〜３２ａと第２の内部電極４０〜４３の主電極部分４０ａ〜４３ａとは、誘電体層１２〜１７を挟んで対向している。そのため、第１の内部電極３０〜３２の主電極部分３０ａ〜３２ａと第２の内部電極４０〜４３の主電極部分４０ａ〜４３ａとは協働して所定の静電容量成分を形成することとなる。
【００７７】
内部接続導体層５０、６０はそれぞれ、第１の内部接続導体５１、６１及び第２の内部接続導体５２、６２を有する。第１及び第２の内部接続導体５１、６１、５２、６２は、第１及び第２の端面Ｌ２ｃ、Ｌ２ｄの対向方向に沿って併置されている。具体的には、第１の内部接続導体５１、６１が第１の端面Ｌ２ｃ側に位置し、第２の内部接続導体５２、６２が第２の端面Ｌ２ｄ側に位置している。
【００７８】
積層コンデンサＣ２の第１の内部接続導体５１、６１は、第１実施形態に係る積層コンデンサＣ１の第１の内部接続導体５１、６１と同様、長方形状の第１導体部分５１ａ、６１ａと、第２導体部分５１ｂ、６１ｂと、第３導体部分５１ｃ、６１ｃとを含んでいる。そして、第１導体部分５１ａ、６１ａは、第１の外部接続導体３に電気的且つ物理的に接続されている。第２導体部分５１ｂ、６１ｂは、第１の端子電極１Ａに電気的且つ物理的に接続されている。第３導体部分５１ｃ、６１ｃは、第１の端子電極１Ｃに電気的且つ物理的に接続されている。
第１及び第２の端面Ｌ１ｃ、Ｌ１ｄの対向方向における第２導体部分５１ｂ、６１ｂの長さと第３導体部分５１ｃ、６１ｃの長さとは等しい。第１及び第２の側面Ｌ１ｅ、Ｌ１ｆの対向方向における第２導体部分５１ｂ、６１ｂの長さと第３導体部分５１ｃ、６１ｃの長さとは等しい。
【００７９】
積層コンデンサＣ２の第２の内部接続導体５２、６２は、第１実施形態に係る積層コンデンサＣ１の第２の内部接続導体５２、６２と同様、長方形状の第４導体部分５２ａ、６２ａと、第５導体部分５２ｂ、６２ｂと、第６導体部分５２ｃ、６２ｃとを含んでいる。そして、第４導体部分５２ａ、６２ａは、第２の外部接続導体４に電気的且つ物理的に接続されている。第５導体部分５２ｂ、６２ｂは、第１の端子電極１Ｂに電気的且つ物理的に接続されている。第６導体部分５２ｃ、６２ｃは、第１の端子電極１Ｄに電気的且つ物理的に接続されている。第１及び第２の端面Ｌ１ｃ、Ｌ１ｄの対向方向における第５導体部分５２ｂ、６２ｂの長さと第６導体部分５２ｃ、６２ｃの長さとは等しい。第１及び第２の側面Ｌ１ｅ、Ｌ１ｆの対向方向における第５導体部分５２ｂ、６２ｂの長さと第６導体部分５２ｃ、６２ｃの長さとは等しい。
【００８０】
第１の内部電極３０〜３２の主電極部分３０ａ〜３２ａは、第１の外部接続導体３及び第１の内部接続導体５１、６１を介して、第１の端子電極１Ａ、１Ｃに電気的に接続される。第１の内部電極３０〜３２の主電極部分３０ａ〜３２ａは、第２の外部接続導体４及び第２の内部接続導体５２、６２を介して、第１の端子電極１Ｂ、１Ｄに電気的に接続される。
【００８１】
積層コンデンサＣ２では、第１の内部電極３０〜３２は第１の端子電極１Ａ〜１Ｄに直接接続されていない。その代わり、積層コンデンサＣ２の第１の内部電極３０〜３２は、第１の外部接続導体３及び第１の内部接続導体５１、６１を介して、第１の端子電極１Ａ、１Ｃに電気的に接続される。積層コンデンサＣ２の第１の内部電極３０〜３２は、第２の外部接続導体４及び第２の内部接続導体５２、６２を介して、第１の端子電極１Ｂ、１Ｄに電気的に接続される。その結果、積層コンデンサＣ２では、すべての第１の内部電極が第１の端子電極に物理的に接続されている従来の積層コンデンサに比べ、等価直列抵抗を大きくすることが可能となる。
【００８２】
特に、積層コンデンサＣ２では、第２の内部電極４０〜４３は第２の端子電極２Ａ〜２Ｄに直接、物理的に接続されている。そのため、積層コンデンサＣ２の等価直接抵抗を適度な大きさ、すなわち過度に大きくならない程度に大きくすることが可能となる。
【００８３】
また、積層コンデンサＣ２では、各第２の内部電極４０〜４３は、複数（本実施形態では各４つ）の引き出し電極部分４０ｂ〜４３ｂ、４０ｃ〜４３ｃ、４０ｄ〜４３ｄ、４０ｅ〜４３ｅを含む。そのため、等価直列抵抗をその分だけ制御することが可能となる。これにより、積層コンデンサＣ２の等価直接抵抗を適度な大きさ、すなわち過度に大きくならない程度に大きくすることが可能となる。
【００８４】
また、積層コンデンサＣ２では、第１及び第２の端子電極１Ａ、１Ｂ、２Ａ、２Ｂは、第１及び第２の主面Ｌ２ａ、Ｌ２ｂの対向方向で見たときに、第１の側面Ｌ２ｅ上において交互に配置されている。この場合、第１の側面Ｌ２ｅ上において、隣り合う端子電極を異極性に接続することが可能となり、等価直列インダクタンスを小さくすることが可能となる。
【００８５】
さらに、積層コンデンサＣ２では、第１及び第２の端子電極１Ｃ、１Ｄ、２Ｃ、２Ｄは、第１及び第２の主面Ｌ２ａ、Ｌ２ｂの対向方向で見たときに、第２の側面Ｌ２ｆ上において交互に配置されている。したがって、第２の側面Ｌ２ｆ上において、隣り合う端子電極を異極性に接続することが可能となり、等価直列インダクタンスをさらに小さくすることが可能となる。
（第３実施形態）
【００８６】
図５及び図６を参照して、第３実施形態に係る積層コンデンサの構成について説明する。第３実施形態に係る積層コンデンサＣ３は、第１及び第２の内部接続導体と第１の端子電極との接続関係の点で第１実施形態に係る積層コンデンサＣ１と相違する。図５は、第３実施形態に係る積層コンデンサの斜視図である。図６は、第３実施形態に係る積層コンデンサに含まれるコンデンサ素体の分解斜視図である。
【００８７】
積層コンデンサＣ３は、図５に示すように、直方体状をしたコンデンサ素体Ｌ３と、コンデンサ素体Ｌ３の外表面に配置された複数（本実施形態では４つ）の第１の端子電極１Ａ〜１Ｄ、複数（本実施形態では４つ）の第２の端子電極２Ａ〜２Ｄ、第１の外部接続導体３、及び第２の外部接続導体４とを備える。コンデンサ素体Ｌ３は、相対向する長方形状の第１の主面Ｌ３ａ及び第２の主面Ｌ３ｂと、相対向する第１の端面Ｌ３ｃ及び第２の端面Ｌ３ｄと、相対向する第１の側面Ｌ３ｅ及び第２の側面Ｌ３ｆとを含んでいる。第１及び第２の端面Ｌ３ｃ、Ｌ３ｄは、第１及び第２の主面Ｌ３ａ、Ｌ３ｂ間を連結するように第１及び第２の主面Ｌ３ａ、Ｌ３ｂの短辺方向に伸びている。第１及び第２の側面Ｌ３ｅ、Ｌ３ｆは、第１及び第２の主面Ｌ３ａ、Ｌ３ｂ間を連結するように第１及び第２の主面Ｌ３ａ、Ｌ３ｂの長辺方向に伸びている。
【００８８】
コンデンサ素体Ｌ３の第１の側面Ｌ３ｅには、第１の端子電極１Ａ、１Ｂ、及び第２の端子電極２Ａ、２Ｂが、第１の端面Ｌ３ｃ側から第２の端面Ｌ３ｄ側に向かって、第２の端子電極２Ａ、第１の端子電極１Ａ、第２の端子電極２Ｂ、第１の端子電極１Ｂの順で配置されている。コンデンサ素体Ｌ３の第２の側面Ｌ３ｆには、第１の端子電極１Ｃ、１Ｄ、及び第２の端子電極２Ｃ、２Ｄが、第１の端面Ｌ３ｃ側から第２の端面Ｌ３ｄ側に向かって、第１の端子電極１Ｃ、第２の端子電極２Ｃ、第１の端子電極１Ｄ、第２の端子電極２Ｄの順で配置されている。
【００８９】
コンデンサ素体Ｌ３の第１の端面Ｌ３ｃには、第１の外部接続導体３が配置されている。コンデンサ素体Ｌ３の第２の端面Ｌ３ｄには、第２の外部接続導体４が配置されている。
【００９０】
コンデンサ素体Ｌ３は、図６に示されるように、複数（本実施形態では１０層）の誘電体層１０〜１９と、複数（本実施形態では３層）の第１の内部電極３０〜３２と、複数（本実施形態では４層）の第２の内部電極４０〜４３とを有している。コンデンサ素体Ｌ３は、さらに、複数（本実施形態では２層）の内部接続導体層５０、６０を含んでいる。複数の第１及び第２の内部電極３０〜３２、４０〜４３は、誘電体層１２〜１７を介して交互に配置されている。また、内部接続導体層５０、６０は何れも、交互に配置された第１及び第２の内部電極３０〜３２、４０〜４３の、第１及び第２の主面Ｌ３ａ、Ｌ３ｂの対向方向における外側に配置されている。誘電体層１２〜１７を介して交互に配置された第１及び第２の内部電極３０〜３２、４０〜４３は、内部接続導体層５０と内部接続導体層６０との間に位置する。
【００９１】
第１の内部電極３０〜３２と第２の内部電極４０〜４３とは、コンデンサ素体Ｌ３において、誘電体層１０〜１９の積層方向、すなわち第１及び第２の主面Ｌ３ａ、Ｌ３ｂの対向方向に交互に配置されている。第１及び第２の内部電極３０〜３２、４０〜４３はそれぞれ、少なくとも一つの誘電体層１２〜１７を挟んで対向するように配置されている。
【００９２】
各第１の内部電極３０〜３２は、主電極部分３０ａ〜３２ａと、引き出し電極部分３０ｂ〜３２ｂと、引き出し電極部分３０ｃ〜３２ｃとを含んでいる。主電極部分３０ａ〜３２ａは、長方形状を呈しており、第１及び第２の主面Ｌ３ａ、Ｌ３ｂの長辺方向を長辺方向としている。
【００９３】
１以上であって且つ第１の内部電極の総数（本実施形態では３）よりも少ない２つ（第１の数）の第１の内部電極３０、３２の引き出し電極部分３０ｂ、３２ｂは、主電極部分３０ａ、３２ａの第１の端面Ｌ３ｃ側の端部から第１の端面Ｌ３ｃに向けて伸びており、第１の端面Ｌ３ｃまで引き出されている。引き出し電極部分３０ｂ、３２ｂは、第１の外部接続導体３に電気的且つ物理的に接続されている。
【００９４】
第１の内部電極の総数（本実施形態では３）よりも第１の数、すなわち２だけ少ない１つ（第２の数）の第１の内部電極３１の引き出し電極部分３１ｂは、主電極部分３１ａの第２の端面Ｌ３ｄ側の端部から第２の端面Ｌ３ｄに向けて伸びており、第２の端面Ｌ３ｄまで引き出されている。引き出し電極部分３１ｂは、第２の外部接続導体４に電気的且つ物理的に接続されている。
【００９５】
各第２の内部電極４０〜４３は、第１及び第２の主面Ｌ３ａ、Ｌ３ｂの長辺方向を長辺方向とする長方形状の主電極部分４０ａ〜４３ａと、引き出し電極部分４０ｂ〜４３ｂとを含んでいる。
【００９６】
第２の内部電極４０、４１それぞれの引き出し電極部分４０ｂ、４１ｂは、対応する主電極部分４０ａ、４１ａの第１の側面Ｌ３ｅ側の端部から第１の側面Ｌ３ｅに向けて伸びており、第１の側面Ｌ３ｅまで引き出されている。引き出し電極部分４０ｂは第２の端子電極２Ａに、引き出し電極部分４１ｂは第２の端子電極２Ｂにそれぞれ電気的且つ物理的に接続されている。
【００９７】
第２の内部電極４２、４３それぞれの引き出し電極部分４２ｂ、４３ｂは、対応する主電極部分４２ａ、４３ａの第２の側面Ｌ３ｆ側の端部から第２の側面Ｌ３ｆに向けて伸びており、第２の側面Ｌ３ｆまで引き出されている。引き出し電極部分４２ｂは第２の端子電極２Ｃに、引き出し電極部分４３ｂは第２の端子電極２Ｄにそれぞれ電気的且つ物理的に接続されている。
【００９８】
このように、各第２の内部電極４０〜４３の主電極部分４０ａ〜４３ａは、複数の第２の端子電極２Ａ〜２Ｄのうち何れか１つの第２の端子電極のみに対応する引き出し電極部分４０ｂ〜４３ｂを介して接続されている。
【００９９】
第１の内部電極３０〜３２の主電極部分３０ａ〜３２ａと第２の内部電極４０〜４３の主電極部分４０ａ〜４３ａとは、誘電体層１２〜１７を挟んで対向しており、協働して所定の静電容量成分を形成する。
【０１００】
内部接続導体層５０、６０はそれぞれ、第１の内部接続導体５１、６１及び第２の内部接続導体５２、６２を有する。内部接続導体層５０において第１及び第２の内部接続導体５１、５２は、第１及び第２の端面Ｌ３ｃ、Ｌ３ｄの対向方向に沿って併置されている。内部接続導体層６０において第１及び第２の内部接続導体６１、６２は、第１及び第２の端面Ｌ３ｃ、Ｌ３ｄの対向方向に沿って併置されている。具体的には、第１の内部接続導体５１、６１が第１の端面Ｌ３ｃ側に位置し、第２の内部接続導体５２、６２が第２の端面Ｌ３ｄ側に位置している。
【０１０１】
第１の内部接続導体５１、６１は、第１導体部分５１ａ、６１ａと、第２導体部分５１ｂ、６１ｂとを含んでいる。第１導体部分５１ａ、６１ａは、長方形状を呈しており、第１及び第２の主面Ｌ３ａ、Ｌ３ｂの長辺方向を長辺方向としている。第１導体部分５１ａ、６１ａの長辺は、第１及び第２の主面Ｌ３ａ、Ｌ３ｂの対向方向で見て、第１の端子電極１Ｃに相当する位置から第１の端面Ｌ３ｃに向けて伸びている。そして、第１導体部分５１ａ、６１ａは、第１の端面Ｌ３ｃに引き出されている。第１導体部分５１ａ、６１ａは、第１の外部接続導体３に電気的且つ物理的に接続されている。
【０１０２】
第１導体部分５１ａ、６１ａの短辺は、第１及び第２の主面Ｌ３ａ、Ｌ３ｂの対向方向で見て、第１の外部接続導体３に対応する位置に位置する。
【０１０３】
第１の内部接続導体５１の第２導体部分５１ｂは、第１導体部分５１ａの第２の側面Ｌ３ｆ側の長辺における第２の端面Ｌ３ｄ側端部から第２の側面Ｌ３ｆに向けて伸びており、第２の側面Ｌ３ｆまで引き出されている。第２導体部分５１ｂは、第１の端子電極１Ｃに電気的且つ物理的に接続されている。
【０１０４】
第１の内部接続導体６１の第２導体部分６１ｂは、第１導体部分６１ａの第１の側面Ｌ３ｅ側の長辺における第２の端面Ｌ３ｄ側端部から第１の側面Ｌ３ｅに向けて伸びており、第１の側面Ｌ３ｅまで引き出されている。第２導体部分６１ｂは、第１の端子電極１Ａに電気的且つ物理的に接続されている。
【０１０５】
第２の内部接続導体５２、６２は、第４導体部分５２ａ、６２ａと、第５導体部分５２ｂ、６２ｂとを含んでいる。第４導体部分５２ａ、６２ａは、長方形状を呈しており、第１及び第２の主面Ｌ３ａ、Ｌ３ｂの長辺方向を長辺方向としている。第４導体部分５２ａ、６２ａの長辺は、第１及び第２の主面Ｌ３ａ、Ｌ３ｂの対向方向で見て、第１の端子電極１Ｂに相当する位置から第２の端面Ｌ３ｄに向けて伸びている。そして、第４導体部分５２ａ、６２ａは、第２の端面Ｌ３ｄに引き出されている。第４導体部分５２ａ、６２ａは、第２の外部接続導体４に電気的且つ物理的に接続されている。
【０１０６】
第４導体部分５２ａ、６２ａの短辺は、第１及び第２の主面Ｌ３ａ、Ｌ３ｂの対向方向で見て、第２の外部接続導体４に対応する位置に位置する。
【０１０７】
第２の内部接続導体５２の第５導体部分５２ｂは、第４導体部分５２ａの第１の側面Ｌ３ｅ側の長辺における第１の端面Ｌ３ｃ側端部から第１の側面Ｌ３ｅに向けて伸びており、第１の側面Ｌ３ｅまで引き出されている。第５導体部分５２ｂは、第１の端子電極１Ｂに電気的且つ物理的に接続されている。
【０１０８】
第２の内部接続導体６２の第５導体部分６２ｃは、第４導体部分６２ａの第２の側面Ｌ３ｆ側の長辺における第１の端面Ｌ３ｃ側端部から第２の側面Ｌ３ｆに向けて伸びており、第２の側面Ｌ３ｆまで引き出されている。第５導体部分６２ｂは、第１の端子電極１Ｄに電気的且つ物理的に接続されている。
【０１０９】
第１の内部電極３０、３２の主電極部分３０ａ、３２ａは、第１の外部接続導体３及び第１の内部接続導体５１を介して、第１の端子電極１Ｃと電気的に接続される。第１の内部電極３０、３２の主電極部分３０ａ、３２ａは、第１の外部接続導体３及び第１の内部接続導体６１を介して、第１の端子電極１Ａと電気的に接続される。第１の内部電極３１の主電極部分３１ａは、第２の外部接続導体４及び第２の内部接続導体５２を介して、第１の端子電極１Ｂと電気的に接続される。第１の内部電極３１の主電極部分３１ａは、第２の外部接続導体４及び第２の内部接続導体６２を介して、第１の端子電極１Ｄと電気的に接続される。
【０１１０】
積層コンデンサＣ３では、第１の内部電極３０〜３２は第１の端子電極１Ａ〜１Ｄに直接接続されていない。その代わり、積層コンデンサＣ３の第１の内部電極３０、３２は、第１の外部接続導体３及び第１の内部接続導体５１を介して第１の端子電極１Ｃに、第１の外部接続導体３及び第１の内部接続導体６１を介して第１の端子電極１Ａに、電気的に接続される。積層コンデンサＣ３の第１の内部電極３１は、第２の外部接続導体４及び第２の内部接続導体５２を介して第１の端子電極１Ｂに、第２の外部接続導体４及び第２の内部接続導体６２を介して第１の端子電極１Ｄに電気的に接続される。その結果、積層コンデンサＣ３では、すべての第１の内部電極が第１の端子電極に物理的に接続されている従来の積層コンデンサに比べ、等価直列抵抗を大きくすることが可能となる。
【０１１１】
特に、積層コンデンサＣ３では、第２の内部電極４０〜４３は第２の端子電極２Ａ〜２Ｄに直接、物理的に接続されている。そのため、積層コンデンサＣ３の等価直接抵抗を適度な大きさ、すなわち過度に大きくならない程度に大きくすることが可能となる。
【０１１２】
また、積層コンデンサＣ３では、各第２の内部電極４０〜４３の主電極部分４０ａ〜４３ａは、１つの引き出し電極部分４０ｂ〜４３ｂによって１つの第２の端子電極２Ａ〜２Ｄに接続している。そのため、積層コンデンサＣ３では、等価直列抵抗をさらに大きくすることが可能となる。
【０１１３】
また、積層コンデンサＣ３では、第１及び第２の端子電極１Ａ、１Ｂ、２Ａ、２Ｂは、第１及び第２の主面Ｌ３ａ、Ｌ３ｂの対向方向で見たときに、第１の側面Ｌ３ｅ上において交互に配置されている。さらに、積層コンデンサＣ３では、第１及び第２の端子電極１Ｃ、１Ｄ、２Ｃ、２Ｄは、第１及び第２の主面Ｌ３ａ、Ｌ３ｂの対向方向で見たときに、第２の側面Ｌ３ｆ上において交互に配置されている。この場合、第１の側面Ｌ３ｅ上においてだけでなく、第２の側面Ｌ３ｆ上においても、隣り合う端子電極を異極性に接続することが可能となり、等価直列インダクタンスを小さくすることが可能となる。
（第４実施形態）
【０１１４】
図７及び図８を参照して、第４実施形態に係る積層コンデンサの構成について説明する。図７は、第４実施形態に係る積層コンデンサの斜視図である。第４実施形態に係る積層コンデンサに含まれるコンデンサ素体の分解斜視図である。
【０１１５】
第４実施形態に係る積層コンデンサＣ４は、図７に示すように、直方体状をしたコンデンサ素体Ｌ４と、コンデンサ素体Ｌ４の外表面に配置された複数（本実施形態では４つ）の第１の端子電極１Ａ〜１Ｄ、複数（本実施形態では４つ）の第２の端子電極２Ａ〜２Ｄ、第１の外部接続導体３、及び第２の外部接続導体４とを備える。コンデンサ素体Ｌ４は、相対向する長方形状の第１の主面Ｌ４ａ及び第２の主面Ｌ４ｂと、相対向する第１の端面Ｌ４ｃ及び第２の端面Ｌ４ｄと、相対向する第１の側面Ｌ４ｅ及び第２の側面Ｌ４ｆとを含んでいる。第１及び第２の端面Ｌ４ｃ、Ｌ４ｄは、第１及び第２の主面Ｌ４ａ、Ｌ４ｂ間を連結するように第１及び第２の主面Ｌ４ａ、Ｌ４ｂの短辺方向に伸びている。第１及び第２の側面Ｌ４ｅ、Ｌ４ｆは、第１及び第２の主面Ｌ４ａ、Ｌ４ｂ間を連結するように第１及び第２の主面Ｌ４ａ、Ｌ４ｂの長辺方向に伸びている。
【０１１６】
コンデンサ素体Ｌ４の第１の側面Ｌ４ｅには、第１の端子電極１Ａ、１Ｂ、及び第２の端子電極２Ａ、２Ｂが、第１の端面Ｌ４ｃ側から第２の端面Ｌ４ｄ側に向かって、第２の端子電極２Ａ、第１の端子電極１Ａ、第１の端子電極１Ｂ、第２の端子電極２Ｂの順で配置されている。すなわち、第１及び第２の端子電極１Ａ、２Ａは、第１及び第２の主面Ｌ４ａ、Ｌ４ｂの対向方向で見たときに、第１の側面Ｌ４ｅ上において交互に配置されている。第１及び第２の端子電極１Ｂ、２Ｂは、第１及び第２の主面Ｌ４ａ、Ｌ４ｂの対向方向で見たときに、第１の側面Ｌ４ｅ上において交互に配置されている。
【０１１７】
コンデンサ素体Ｌ４の第２の側面Ｌ４ｆには、第１の端子電極１Ｃ、１Ｄ、及び第２の端子電極２Ｃ、２Ｄが、第１の端面Ｌ４ｃ側から第２の端面Ｌ４ｄ側に向かって、第２の端子電極２Ｃ、第１の端子電極１Ｃ、第１の端子電極１Ｄ、第２の端子電極２Ｄの順で配置されている。すなわち、第１及び第２の端子電極１Ｃ、２Ｃは、第１及び第２の主面Ｌ４ａ、Ｌ４ｂの対向方向で見たときに、第２の側面Ｌ４ｆ上において交互に配置されている。第１及び第２の端子電極１Ｄ、２Ｄは、第１及び第２の主面Ｌ４ａ、Ｌ４ｂの対向方向で見たときに、第２の側面Ｌ４ｆ上において交互に配置されている。
【０１１８】
コンデンサ素体Ｌ４の第１の端面Ｌ４ｃには、第１の外部接続導体３が配置されている。コンデンサ素体Ｌ４の第２の端面Ｌ４ｄには、第２の外部接続導体４が配置されている。
【０１１９】
コンデンサ素体Ｌ４は、図８に示されるように、複数（本実施形態では１０層）の誘電体層１０〜１９と、複数（本実施形態では３層）の第１の内部電極３０〜３２と、複数（本実施形態では４層）の第２の内部電極４０〜４３とを有している。コンデンサ素体Ｌ４は、さらに、複数（本実施形態では２層）の内部接続導体層５０、６０を含んでいる。複数の第１及び第２の内部電極３０〜３２、４０〜４３は、誘電体層１２〜１７を介して交互に配置されている。また、内部接続導体層５０、６０は何れも、交互に配置された第１及び第２の内部電極３０〜３２、４０〜４３の、第１及び第２の主面Ｌ４ａ、Ｌ４ｂの対向方向における外側に配置されている。誘電体層１２〜１７を介して交互に配置された第１及び第２の内部電極３０〜３２、４０〜４３は、内部接続導体層５０と内部接続導体層６０との間に位置する。
【０１２０】
第１の内部電極３０〜３２と第２の内部電極４０〜４３とは、コンデンサ素体Ｌ４において、誘電体層１０〜１９の積層方向、すなわち第１及び第２の主面Ｌ４ａ、Ｌ４ｂの対向方向に交互に配置されている。第１及び第２の内部電極３０〜３２、４０〜４３はそれぞれ、少なくとも一つの誘電体層１２〜１７を挟んで対向するように配置されている。
【０１２１】
各第１の内部電極３０〜３２は、主電極部分３０ａ〜３２ａと、引き出し電極部分３０ｂ〜３２ｂと、引き出し電極部分３０ｃ〜３２ｃとを含んでいる。主電極部分３０ａ〜３２ａは、長方形状を呈しており、第１及び第２の主面Ｌ４ａ、Ｌ４ｂの長辺方向を長辺方向としている。
【０１２２】
複数の第１の内部電極３０〜３２の引き出し電極部分３０ｂ〜３２ｂはそれぞれ、主電極部分３０ａ〜３２ａの第１の端面Ｌ４ｃ側の端部から第１の端面Ｌ４ｃに向けて伸びており、第１の外部接続導体３に電気的且つ物理的に接続されている。複数の第１の内部電極３０〜３２の引き出し電極部分３０ｃ〜３２ｃはそれぞれ、主電極部分３０ａ〜３２ａの第２の端面Ｌ４ｄ側の端部から第２の端面Ｌ４ｄに向けて伸びており、第２の外部接続導体４に電気的且つ物理的に接続されている。
【０１２３】
各第２の内部電極４０〜４３は、主電極部分４０ａ〜４３ａと、第２の端子電極２Ａ〜２Ｄと同じ数（本実施形態では４つ）の引き出し電極部分４０ｂ〜４３ｂ、４０ｃ〜４３ｃ、４０ｄ〜４３ｄ、４０ｅ〜４３ｅとを含んでいる。主電極部分４０ａ〜４３ａは、長方形状を呈しており、第１及び第２の主面Ｌ４ａ、Ｌ４ｂの長辺方向を長辺方向としている。
【０１２４】
第２の内部電極４０〜４３の引き出し電極部分４０ｂ〜４３ｂは、主電極部分４０ａ〜４３ａの第１の側面Ｌ４ｅ側の端部から第１の側面Ｌ４ｅに向けて伸びており、第２の端子電極２Ａに電気的且つ物理的に接続されている。第２の内部電極４０〜４３の引き出し電極部分４０ｃ〜４３ｃは、主電極部分４０ａ〜４３ａの第１の側面Ｌ４ｅ側の端部から第１の側面Ｌ４ｅに向けて伸びており、第２の端子電極２Ｂに電気的且つ物理的に接続されている。第２の内部電極４０〜４３の引き出し電極部分４０ｄ〜４３ｄは、主電極部分４０ａ〜４３ａの第２の側面Ｌ４ｆ側の端部から第２の側面Ｌ４ｆに向けて伸びており、第２の端子電極２Ｃに電気的且つ物理的に接続されている。第２の内部電極４０〜４３の引き出し電極部分４０ｅ〜４３ｅは、主電極部分４０ａ〜４３ａの第２の側面Ｌ４ｆ側の端部から第２の側面Ｌ４ｆに向けて伸びており、第２の端子電極２Ｄに電気的且つ物理的に接続されている。
【０１２５】
このように、第２の内部電極４０〜４３の主電極部分４０ａ〜４３ａは第２の内部電極４０〜４３の複数の引き出し電極部分４０ｂ〜４３ｂ、４０ｃ〜４３ｃ、４０ｄ〜４３ｄ、４０ｅ〜４３ｅそれぞれを介して複数の第２の端子電極２Ａ〜２Ｄそれぞれに接続されている。
【０１２６】
第１の内部電極３０〜３２の主電極部分３０ａ〜３２ａと第２の内部電極４０〜４３の主電極部分４０ａ〜４３ａとは、誘電体層１２〜１７を挟んで対向しており、協働して所定の静電容量成分を形成する。
【０１２７】
内部接続導体層５０、６０はそれぞれ、第１の内部接続導体５１、６１及び第２の内部接続導体５２、６２を有する。内部接続導体層５０において第１及び第２の内部接続導体５１、５２は、第１及び第２の端面Ｌ４ｃ、Ｌ４ｄの対向方向に沿って併置されている。内部接続導体層６０において第１及び第２の内部接続導体６１、６２は、第１及び第２の端面Ｌ４ｃ、Ｌ４ｄの対向方向に沿って併置されている。具体的には、第１の内部接続導体５１、６１が第１の端面Ｌ４ｃ側に位置し、第２の内部接続導体５２、６２が第２の端面Ｌ４ｄ側に位置している。
【０１２８】
第１の内部接続導体５１、６１は、第１導体部分５１ａ、６１ａと、第２導体部分５１ｂ、６１ｂと、第３導体部分５１ｃ、６１ｃとを含んでいる。第１導体部分５１ａ、６１ａは、長方形状を呈しており、第１及び第２の主面Ｌ４ａ、Ｌ４ｂの長辺方向を長辺方向としている。第１導体部分５１ａ、６１ａの長辺は、第１及び第２の主面Ｌ４ａ、Ｌ４ｂの対向方向で見て、第１の端子電極１Ａ、１Ｃに相当する位置から第１の端面Ｌ４ｃに向けて伸びている。そして、第１導体部分５１ａ、６１ａは、第１の端面Ｌ４ｃに引き出されている。第１導体部分５１ａ、６１ａは、第１の外部接続導体３に電気的且つ物理的に接続されている。
【０１２９】
第１導体部分５１ａ、６１ａの短辺は、第１及び第２の主面Ｌ４ａ、Ｌ４ｂの対向方向で見て、第１の外部接続導体３に対応する位置に位置する。
【０１３０】
第１の内部接続導体５１、６１の第２導体部分５１ｂ、６１ｂは、第１導体部分５１ａ、６１ａの第１の側面Ｌ４ｅ側の長辺における第２の端面Ｌ４ｄ側端部から第１の側面Ｌ４ｅに向けて伸びており、第１の側面Ｌ４ｅまで引き出されている。第２導体部分５１ｂ、６１ｂは、第１の端子電極１Ａに電気的且つ物理的に接続されている。
【０１３１】
第１の内部接続導体５１、６１の第３導体部分５１ｃ、６１ｃは、第１導体部分５１ａ、６１ａの第２の側面Ｌ４ｆ側の長辺における第２の端面Ｌ４ｄ側端部から第２の側面Ｌ４ｆに向けて伸びており、第２の側面Ｌ４ｆまで引き出されている。第３導体部分５１ｃ、６１ｃは、第１の端子電極１Ｃに電気的且つ物理的に接続されている。
第１及び第２の端面Ｌ４ｃ、Ｌ４ｄの対向方向における第２導体部分５１ｂの長さと第３導体部分５１ｃの長さとは等しい。第１及び第２の端面Ｌ４ｃ、Ｌ４ｄの対向方向における第２導体部分６１ｂの長さと第３導体部分６１ｃの長さとは等しい。第１及び第２の側面Ｌ４ｅ、Ｌ４ｆの対向方向における第２導体部分５１ｂの長さと第３導体部分５１ｃの長さとは等しい。第１及び第２の側面Ｌ４ｅ、Ｌ４ｆの対向方向における第２導体部分６１ｂの長さと第３導体部分６１ｃの長さとは等しい。
【０１３２】
第２の内部接続導体５２、６２は、第４導体部分５２ａ、６２ａと、第５導体部分５２ｂ、６２ｂと、第６導体部分５２ｃ、６２ｃとを含んでいる。第４導体部分５２ａ、６２ａは、長方形状を呈しており、第１及び第２の主面Ｌ４ａ、Ｌ４ｂの長辺方向を長辺方向としている。第１導体部分５２ａ、６２ａの長辺は、第１及び第２の主面Ｌ４ａ、Ｌ４ｂの対向方向で見て、第１の端子電極１Ｂ、１Ｄに相当する位置から第２の端面Ｌ４ｄに向けて伸びている。そして、第４導体部分５２ａ、６２ａは、第２の端面Ｌ４ｄに引き出されている。第４導体部分５２ａ、６２ａは、第２の外部接続導体４に電気的且つ物理的に接続されている。
【０１３３】
第４導体部分５２ａ、６２ａの短辺は、第１及び第２の主面Ｌ４ａ、Ｌ４ｂの対向方向で見て、第２の外部接続導体４に対応する位置に位置する。
【０１３４】
第２の内部接続導体５２、６２の第５導体部分５２ｂ、６２ｂは、第４導体部分５２ａ、６２ａの第１の側面Ｌ４ｅ側の長辺における第１の端面Ｌ４ｃ側端部から第１の側面Ｌ４ｅに向けて伸びており、第１の側面Ｌ４ｅまで引き出されている。第５導体部分５２ｂ、６２ｂは、第１の端子電極１Ｂに電気的且つ物理的に接続されている。
【０１３５】
第２の内部接続導体５２、６２の第６導体部分５２ｃ、６２ｃは、第１導体部分５２ａ、６２ａの第２の側面Ｌ４ｆ側の長辺における第１の端面Ｌ４ｃ側端部から第２の側面Ｌ４ｆに向けて伸びており、第２の側面Ｌ４ｆまで引き出されている。第６導体部分５２ｃ、６２ｃは、第１の端子電極１Ｄに電気的且つ物理的に接続されている。
第１及び第２の端面Ｌ４ｃ、Ｌ４ｄの対向方向における第５導体部分５２ｂの長さと第６導体部分５２ｃの長さとは等しい。第１及び第２の端面Ｌ４ｃ、Ｌ４ｄの対向方向における第５導体部分６２ｂの長さと第６導体部分６２ｃの長さとは等しい。第１及び第２の側面Ｌ４ｅ、Ｌ４ｆの対向方向における第５導体部分５２ｂの長さと第６導体部分５２ｃの長さとは等しい。第１及び第２の側面Ｌ４ｅ、Ｌ４ｆの対向方向における第５導体部分６２ｂの長さと第６導体部分６２ｃの長さとは等しい。
【０１３６】
第１の内部電極３０〜３２の主電極部分３０ａ〜３２ａは、第１の外部接続導体３及び第１の内部接続導体５１、６１を介して、第１の端子電極１Ａ、１Ｃに電気的に接続される。第１の内部電極３０〜３２の主電極部分３０ａ〜３２ａは、第２の外部接続導体４及び第２の内部接続導体５２、６２を介して、第１の端子電極１Ｂ、１Ｄに電気的に接続される。
【０１３７】
積層コンデンサＣ４では、第１の内部電極３０〜３２は第１の端子電極１Ａ〜１Ｄに直接接続されていない。その代わり、積層コンデンサＣ４の第１の内部電極３０〜３２は、第１の外部接続導体３及び第１の内部接続導体５１、６１を介して、第１の端子電極１Ａ、１Ｃに電気的に接続される。積層コンデンサＣ４の第１の内部電極３０〜３２は、第２の外部接続導体４及び第２の内部接続導体５２、６２を介して、第１の端子電極１Ｂ、１Ｄに電気的に接続される。その結果、積層コンデンサＣ４では、すべての第１の内部電極が第１の端子電極に物理的に接続されている従来の積層コンデンサに比べ、等価直列抵抗を大きくすることが可能となる。
【０１３８】
特に、積層コンデンサＣ４では、第２の内部電極４０〜４３は第２の端子電極２Ａ〜２Ｄに直接、物理的に接続されている。そのため、積層コンデンサＣ４の等価直接抵抗を適度な大きさ、すなわち過度に大きくならない程度に大きくすることが可能となる。
第２導体部分５１ｂ、６１ｂの第１及び第２の端面Ｌ４ｃ、Ｌ４ｄの対向方向での長さ及び第１及び第２の側面Ｌ４ｅ、Ｌ４ｆの対向方向での長さがそれぞれ、第３導体部分５１ｃ、６１ｃの対応する長さと等しいので、第１の内部接続導体５１、６１に関してどのような電流経路がとられても、ＥＳＲ（等価直列抵抗）及びＥＳＬ（等価直列インダクタンス）は一定である。第５導体部分５２ｂ、６２ｂの第１及び第２の端面Ｌ４ｃ、Ｌ４ｄの対向方向での長さ及び第１及び第２の側面Ｌ４ｅ、Ｌ４ｆの対向方向での長さがそれぞれ、第６導体部分５２ｃ、６２ｃの対応する長さと等しいので、第２の内部接続導体５２、６２に関してどのような電流経路がとられても、ＥＳＲ及びＥＳＬは一定である。このような構成によって、積層コンデンサＣ４の等価直列抵抗を精度良く制御することが可能となっている。
【０１３９】
また、積層コンデンサＣ４では、各第２の内部電極４０〜４３は、複数（本実施形態では各４つ）の引き出し電極部分４０ｂ〜４３ｂ、４０ｃ〜４３ｃ、４０ｄ〜４３ｄ、４０ｅ〜４３ｅを含む。そのため、等価直列抵抗をその分だけ制御することが可能となる。これにより、積層コンデンサＣ４の等価直接抵抗を適度な大きさ、すなわち過度に大きくならない程度に大きくすることが可能となる。
【０１４０】
また、積層コンデンサＣ４では、第１及び第２の端子電極１Ａ、２Ａが、第１及び第２の主面Ｌ４ａ、Ｌ４ｂの対向方向で見たときに、第１の側面Ｌ４ｅ上において交互に配置されている。この場合、第１の側面Ｌ４ｅ上において、隣り合う端子電極を異極性に接続することが可能となり、等価直列インダクタンスを小さくすることが可能となる。
【０１４１】
さらに、積層コンデンサＣ４では、第１及び第２の端子電極１Ｂ、２Ｂが、第１及び第２の主面Ｌ４ａ、Ｌ４ｂの対向方向で見たときに、第１の側面Ｌ４ｅ上において交互に配置されている。したがって、等価直列インダクタンスをさらに小さくすることが可能となる。
【０１４２】
さらに、積層コンデンサＣ４では、第１及び第２の端子電極１Ｃ、２Ｃが、第１及び第２の主面Ｌ４ａ、Ｌ４ｂの対向方向で見たときに、第２の側面Ｌ４ｆ上において交互に配置されている。したがって、等価直列インダクタンスをさらに小さくすることが可能となる。
【０１４３】
さらに、積層コンデンサＣ４では、第１及び第２の端子電極１Ｄ、２Ｄが、第１及び第２の主面Ｌ４ａ、Ｌ４ｂの対向方向で見たときに、第２の側面Ｌ４ｆ上において交互に配置されている。したがって、等価直列インダクタンスをさらに小さくすることが可能となる。
（第５実施形態）
【０１４４】
図９及び図１０を参照して、第５実施形態に係る積層コンデンサの構成について説明する。第５実施形態に係る積層コンデンサＣ５は、第１及び第２の内部接続導体と第１の端子電極との接続関係の点で第４実施形態に係る積層コンデンサＣ４と相違する。図９は、第５実施形態に係る積層コンデンサの斜視図である。第５実施形態に係る積層コンデンサに含まれるコンデンサ素体の分解斜視図である。
【０１４５】
第５実施形態に係る積層コンデンサＣ５は、図９に示すように、直方体状をしたコンデンサ素体Ｌ５と、コンデンサ素体Ｌ５の外表面に配置された複数（本実施形態では４つ）の第１の端子電極１Ａ〜１Ｄ、複数（本実施形態では４つ）の第２の端子電極２Ａ〜２Ｄ、第１の外部接続導体３、及び第２の外部接続導体４とを備える。コンデンサ素体Ｌ５は、コンデンサ素体Ｌ４同様、相対向する長方形状の第１の主面Ｌ５ａ及び第２の主面Ｌ５ｂと、相対向する第１の端面Ｌ５ｃ及び第２の端面Ｌ５ｄと、相対向する第１の側面Ｌ５ｅ及び第２の側面Ｌ５ｆとを含んでいる。
【０１４６】
コンデンサ素体Ｌ５の第１の側面Ｌ５ｅには、第１の端子電極１Ａ、１Ｂ、及び第２の端子電極２Ａ、２Ｂが、第１の端面Ｌ５ｃ側から第２の端面Ｌ５ｄ側に向かって、第２の端子電極２Ａ、第１の端子電極１Ａ、第１の端子電極１Ｂ、第２の端子電極２Ｂの順で配置されている。
【０１４７】
コンデンサ素体Ｌ５の第２の側面Ｌ５ｆには、第１の端子電極１Ｃ、１Ｄ、及び第２の端子電極２Ｃ、２Ｄが、第１の端面Ｌ５ｃ側から第２の端面Ｌ５ｄ側に向かって、第２の端子電極２Ｃ、第１の端子電極１Ｃ、第１の端子電極１Ｄ、第２の端子電極２Ｄの順で配置されている。
【０１４８】
コンデンサ素体Ｌ５の第１の端面Ｌ５ｃには、第１の外部接続導体３が配置されている。コンデンサ素体Ｌ５の第２の端面Ｌ５ｄには、第２の外部接続導体４が配置されている。
【０１４９】
コンデンサ素体Ｌ５は、図１０に示されるように、複数（本実施形態では１０層）の誘電体層１０〜１９と、複数（本実施形態では３層）の第１の内部電極３０〜３２と、複数（本実施形態では４層）の第２の内部電極４０〜４３とを有している。コンデンサ素体Ｌ５は、さらに、複数（本実施形態では２層）の内部接続導体層５０、６０を含んでいる。複数の第１及び第２の内部電極３０〜３２、４０〜４３は、誘電体層１２〜１７を介して交互に配置されている。また、内部接続導体層５０、６０は何れも、交互に配置された第１及び第２の内部電極３０〜３２、４０〜４３の、第１及び第２の主面Ｌ５ａ、Ｌ５ｂの対向方向における外側に配置されている。誘電体層１２〜１７を介して交互に配置された第１及び第２の内部電極３０〜３２、４０〜４３は、内部接続導体層５０と内部接続導体層６０との間に位置する。
【０１５０】
第１の内部電極３０〜３２と第２の内部電極４０〜４３とは、コンデンサ素体Ｌ５において、誘電体層１０〜１９の積層方向、すなわち第１及び第２の主面Ｌ５ａ、Ｌ５ｂの対向方向に交互に配置されている。第１及び第２の内部電極３０〜３２、４０〜４３はそれぞれ、少なくとも一つの誘電体層１２〜１７を挟んで対向するように配置されている。
【０１５１】
各第１の内部電極３０〜３２は、主電極部分３０ａ〜３２ａと、引き出し電極部分３０ｂ〜３２ｂと、引き出し電極部分３０ｃ〜３２ｃとを含んでいる。主電極部分３０ａ〜３２ａは、長方形状を呈しており、第１及び第２の主面Ｌ５ａ、Ｌ５ｂの長辺方向を長辺方向としている。
【０１５２】
複数の第１の内部電極３０〜３２の引き出し電極部分３０ｂ〜３２ｂはそれぞれ、主電極部分３０ａ〜３２ａの第１の端面Ｌ５ｃ側の端部から第１の端面Ｌ５ｃに向けて伸びており、第１の外部接続導体３に電気的且つ物理的に接続されている。複数の第１の内部電極３０〜３２の引き出し電極部分３０ｃ〜３２ｃはそれぞれ、主電極部分３０ａ〜３２ａの第２の端面Ｌ５ｄ側の端部から第２の端面Ｌ５ｄに向けて伸びており、第２の外部接続導体４に電気的且つ物理的に接続されている。
【０１５３】
各第２の内部電極４０〜４３は、主電極部分４０ａ〜４３ａと、第２の端子電極２Ａ〜２Ｄと同じ数（本実施形態では４つ）の引き出し電極部分４０ｂ〜４３ｂ、４０ｃ〜４３ｃ、４０ｄ〜４３ｄ、４０ｅ〜４３ｅとを含んでいる。主電極部分４０ａ〜４３ａは、長方形状を呈しており、第１及び第２の主面Ｌ５ａ、Ｌ５ｂの長辺方向を長辺方向としている。
【０１５４】
第２の内部電極４０〜４３の引き出し電極部分４０ｂ〜４３ｂは、主電極部分４０ａ〜４３ａの第１の側面Ｌ５ｅ側の端部から第１の側面Ｌ５ｅに向けて伸びており、第２の端子電極２Ａに電気的且つ物理的に接続されている。第２の内部電極４０〜４３の引き出し電極部分４０ｃ〜４３ｃは、主電極部分４０ａ〜４３ａの第１の側面Ｌ５ｅ側の端部から第１の側面Ｌ５ｅに向けて伸びており、第２の端子電極２Ｂに電気的且つ物理的に接続されている。第２の内部電極４０〜４３の引き出し電極部分４０ｄ〜４３ｄは、主電極部分４０ａ〜４３ａの第２の側面Ｌ５ｆ側の端部から第２の側面Ｌ５ｆに向けて伸びており、第２の端子電極２Ｃに電気的且つ物理的に接続されている。第２の内部電極４０〜４３の引き出し電極部分４０ｅ〜４３ｅは、主電極部分４０ａ〜４３ａの第２の側面Ｌ５ｆ側の端部から第２の側面Ｌ５ｆに向けて伸びており、第２の端子電極２Ｄに電気的且つ物理的に接続されている。
【０１５５】
このように、第２の内部電極４０〜４３の主電極部分４０ａ〜４３ａは第２の内部電極４０〜４３の複数の引き出し電極部分４０ｂ〜４３ｂ、４０ｃ〜４３ｃ、４０ｄ〜４３ｄ、４０ｅ〜４３ｅそれぞれを介して複数の第２の端子電極２Ａ〜２Ｄそれぞれに接続されている。
【０１５６】
第１の内部電極３０〜３２の主電極部分３０ａ〜３２ａと第２の内部電極４０〜４３の主電極部分４０ａ〜４３ａとは、誘電体層１２〜１７を挟んで対向しており、協働して所定の静電容量成分を形成する。
【０１５７】
内部接続導体層５０、６０はそれぞれ、第１の内部接続導体５１、６１及び第２の内部接続導体５２、６２を有する。内部接続導体層５０において第１及び第２の内部接続導体５１、５２は、第１及び第２の端面Ｌ５ｃ、Ｌ５ｄの対向方向に沿って併置されている。内部接続導体層６０において第１及び第２の内部接続導体６１、６２は、第１及び第２の端面Ｌ５ｃ、Ｌ５ｄの対向方向に沿って併置されている。具体的には、第１の内部接続導体５１、６１が第１の端面Ｌ５ｃ側に位置し、第２の内部接続導体５２、６２が第２の端面Ｌ５ｄ側に位置している。
【０１５８】
第１の内部接続導体５１、６１は、第１導体部分５１ａ、６１ａと、第２導体部分５１ｂ、６１ｂとを含んでいる。第１導体部分５１ａ、６１ａは、長方形状を呈しており、第１及び第２の主面Ｌ５ａ、Ｌ５ｂの長辺方向を長辺方向としている。第１導体部分５１ａの長辺は、第１及び第２の主面Ｌ５ａ、Ｌ５ｂの対向方向で見て、第１の端子電極１Ｃに相当する位置から第１の端面Ｌ５ｃに向けて伸びている。第１導体部分６１ａの長辺は、第１及び第２の主面Ｌ５ａ、Ｌ５ｂの対向方向で見て、第１の端子電極１Ａに相当する位置から第１の端面Ｌ５ｃに向けて伸びている。そして、第１導体部分５１ａ、６１ａは、第１の端面Ｌ５ｃに引き出されている。第１導体部分５１ａ、６１ａは、第１の外部接続導体３に電気的且つ物理的に接続されている。
【０１５９】
第１導体部分５１ａ、６１ａの短辺は、第１及び第２の主面Ｌ５ａ、Ｌ５ｂの対向方向で見て、第１の外部接続導体３に対応する位置に位置する。
【０１６０】
第１の内部接続導体５１の第２導体部分５１ｂは、第１導体部分５１ａの第２の側面Ｌ５ｆ側の長辺における第２の端面Ｌ５ｄ側端部から第２の側面Ｌ５ｆに向けて伸びており、第２の側面Ｌ５ｆまで引き出されている。第２導体部分５１ｂは、第１の端子電極１Ｃに電気的且つ物理的に接続されている。
【０１６１】
第１の内部接続導体６１の第２導体部分６１ｂは、第１導体部分６１ａの第１の側面Ｌ５ｅ側の長辺における第２の端面Ｌ５ｄ側端部から第１の側面Ｌ５ｅに向けて伸びており、第１の側面Ｌ５ｅまで引き出されている。第２導体部分６１ｂは、第１の端子電極１Ａに電気的且つ物理的に接続されている。
【０１６２】
第２の内部接続導体５２、６２は、第４導体部分５２ａ、６２ａと、第５導体部分５２ｂ、６２ｂとを含んでいる。第４導体部分５２ａ、６２ａは、長方形状を呈しており、第１及び第２の主面Ｌ５ａ、Ｌ５ｂの長辺方向を長辺方向としている。第１導体部分５２ａの長辺は、第１及び第２の主面Ｌ５ａ、Ｌ５ｂの対向方向で見て、第１の端子電極１Ｄに相当する位置から第２の端面Ｌ５ｄに向けて伸びている。第１導体部分６２ａの長辺は、第１及び第２の主面Ｌ５ａ、Ｌ５ｂの対向方向で見て、第１の端子電極１Ｂに相当する位置から第２の端面Ｌ５ｄに向けて伸びている。そして、第４導体部分５２ａ、６２ａは、第２の端面Ｌ５ｄに引き出されている。第４導体部分５２ａ、６２ａは、第２の外部接続導体４に電気的且つ物理的に接続されている。
【０１６３】
第４導体部分５２ａ、６２ａの短辺は、第１及び第２の主面Ｌ５ａ、Ｌ５ｂの対向方向で見て、第２の外部接続導体４に対応する位置に位置する。
【０１６４】
第２の内部接続導体５２の第５導体部分５２ｂは、第４導体部分５２ａの第２の側面Ｌ５ｆ側の長辺における第１の端面Ｌ５ｃ側端部から第２の側面Ｌ５ｆに向けて伸びており、第２の側面Ｌ５ｆまで引き出されている。第５導体部分５２ｂは、第１の端子電極１Ｄに電気的且つ物理的に接続されている。
【０１６５】
第２の内部接続導体６２の第５導体部分６２ｂは、第４導体部分６２ａの第１の側面Ｌ５ｅ側の長辺における第１の端面Ｌ５ｃ側端部から第１の側面Ｌ５ｅに向けて伸びており、第１の側面Ｌ５ｅまで引き出されている。第５導体部分６２ｂは、第１の端子電極１Ｂに電気的且つ物理的に接続されている。
【０１６６】
第１の内部電極３０〜３２の主電極部分３０ａ〜３２ａは、第１の外部接続導体３及び第１の内部接続導体５１を介して第１の端子電極１Ｃに、第１の外部接続導体３及び第１の内部接続導体６１を介して第１の端子電極１Ａに、電気的に接続される。第１の内部電極３０〜３２の主電極部分３０ａ〜３２ａは、第２の外部接続導体４及び第２の内部接続導体５２を介して第１の端子電極１Ｄに、第２の外部接続導体４及び第２の内部接続導体６２を介して第１の端子電極１Ｂに電気的に接続される。
【０１６７】
積層コンデンサＣ５では、第１の内部電極３０〜３２は第１の端子電極１Ａ〜１Ｄに直接接続されていない。その代わり、積層コンデンサＣ５の第１の内部電極３０〜３２は、第１の外部接続導体３及び第１の内部接続導体５１、６１を介して、第１の端子電極１Ａ、１Ｃに電気的に接続される。積層コンデンサＣ５の第１の内部電極３０〜３２は、第２の外部接続導体４及び第２の内部接続導体５２、６２を介して、第１の端子電極１Ｂ、１Ｄに電気的に接続される。その結果、積層コンデンサＣ５では、すべての第１の内部電極が第１の端子電極に物理的に接続されている従来の積層コンデンサに比べ、等価直列抵抗を大きくすることが可能となる。
【０１６８】
特に、積層コンデンサＣ５では、第２の内部電極４０〜４３は第２の端子電極２Ａ〜２Ｄに直接、物理的に接続されている。そのため、積層コンデンサＣ５の等価直接抵抗を適度な大きさ、すなわち過度に大きくならない程度に大きくすることが可能となる。
【０１６９】
また、積層コンデンサＣ５では、各第２の内部電極４０〜４３は、複数（本実施形態では各４つ）の引き出し電極部分４０ｂ〜４３ｂ、４０ｃ〜４３ｃ、４０ｄ〜４３ｄ、４０ｅ〜４３ｅを含む。そのため、等価直列抵抗をその分だけ制御することが可能となる。これにより、積層コンデンサＣ５の等価直接抵抗を適度な大きさ、すなわち過度に大きくならない程度に大きくすることが可能となる。
【０１７０】
また、積層コンデンサＣ５は、第１及び第２の主面Ｌ５ａ、Ｌ５ｂの対向方向で見たときに、第１及び第２の端子電極１Ａ〜１Ｄ、２Ａ〜２Ｄが第１及び第２の側面Ｌ５ｅ、Ｌ５ｆ上において交互に位置するような配置を含む。この場合、第１の側面Ｌ５ｅ上において、隣り合う端子電極を異極性に接続することが可能となり、等価直列インダクタンスを小さくすることが可能となる。
（第６実施形態）
【０１７１】
図１１及び図１２を参照して、第６実施形態に係る積層コンデンサの構成について説明する。第６実施形態に係る積層コンデンサＣ６は、第１及び第２の内部接続導体と第１の端子電極との接続関係の点で第４実施形態に係る積層コンデンサＣ４と相違する。図１１は、第６実施形態に係る積層コンデンサの斜視図である。第６実施形態に係る積層コンデンサに含まれるコンデンサ素体の分解斜視図である。
【０１７２】
第６実施形態に係る積層コンデンサＣ６は、図１１に示すように、直方体状をしたコンデンサ素体Ｌ６と、コンデンサ素体Ｌ６の外表面に配置された複数（本実施形態では４つ）の第１の端子電極１Ａ〜１Ｄ、複数（本実施形態では４つ）の第２の端子電極２Ａ〜２Ｄ、第１の外部接続導体３、及び第２の外部接続導体４とを備える。コンデンサ素体Ｌ６は、コンデンサ素体Ｌ４同様、相対向する長方形状の第１の主面Ｌ６ａ及び第２の主面Ｌ６ｂと、相対向する第１の端面Ｌ６ｃ及び第２の端面Ｌ６ｄと、相対向する第１の側面Ｌ６ｅ及び第２の側面Ｌ６ｆとを含んでいる。
【０１７３】
コンデンサ素体Ｌ６の第１の側面Ｌ６ｅには、第１の端子電極１Ａ、１Ｂ、及び第２の端子電極２Ａ、２Ｂが、第１の端面Ｌ６ｃ側から第２の端面Ｌ６ｄ側に向かって、第２の端子電極２Ａ、第１の端子電極１Ａ、第１の端子電極１Ｂ、第２の端子電極２Ｂの順で配置されている。
【０１７４】
コンデンサ素体Ｌ６の第２の側面Ｌ６ｆには、第１の端子電極１Ｃ、１Ｄ、及び第２の端子電極２Ｃ、２Ｄが、第１の端面Ｌ６ｃ側から第２の端面Ｌ６ｄ側に向かって、第２の端子電極２Ｃ、第１の端子電極１Ｃ、第１の端子電極１Ｄ、第２の端子電極２Ｄの順で配置されている。
【０１７５】
コンデンサ素体Ｌ６の第１の端面Ｌ６ｃには、第１の外部接続導体３が配置されている。コンデンサ素体Ｌ６の第２の端面Ｌ６ｄには、第２の外部接続導体４が配置されている。
【０１７６】
コンデンサ素体Ｌ６は、図１２に示されるように、複数（本実施形態では１０層）の誘電体層１０〜１９と、複数（本実施形態では３層）の第１の内部電極３０〜３２と、複数（本実施形態では４層）の第２の内部電極４０〜４３とを有している。コンデンサ素体Ｌ６は、さらに、複数（本実施形態では２層）の内部接続導体層５０、６０を含んでいる。複数の第１及び第２の内部電極３０〜３２、４０〜４３は、誘電体層１２〜１７を介して交互に配置されている。また、内部接続導体層５０、６０は何れも、交互に配置された第１及び第２の内部電極３０〜３２、４０〜４３の、第１及び第２の主面Ｌ６ａ、Ｌ６ｂの対向方向における外側に配置されている。誘電体層１２〜１７を介して交互に配置された第１及び第２の内部電極３０〜３２、４０〜４３は、内部接続導体層５０と内部接続導体層６０との間に位置する。
【０１７７】
第１の内部電極３０〜３２と第２の内部電極４０〜４３とは、コンデンサ素体Ｌ６において、誘電体層１０〜１９の積層方向、すなわち第１及び第２の主面Ｌ６ａ、Ｌ６ｂの対向方向に交互に配置されている。第１及び第２の内部電極３０〜３２、４０〜４３はそれぞれ、少なくとも一つの誘電体層１２〜１７を挟んで対向するように配置されている。
【０１７８】
各第１の内部電極３０〜３２は、主電極部分３０ａ〜３２ａと、引き出し電極部分３０ｂ〜３２ｂと、引き出し電極部分３０ｃ〜３２ｃとを含んでいる。主電極部分３０ａ〜３２ａは、長方形状を呈しており、第１及び第２の主面Ｌ６ａ、Ｌ６ｂの長辺方向を長辺方向としている。
【０１７９】
複数の第１の内部電極３０〜３２の引き出し電極部分３０ｂ〜３２ｂはそれぞれ、主電極部分３０ａ、３２ａの第１の端面Ｌ６ｃ側の端部から第１の端面Ｌ６ｃに向けて伸びており、第１の外部接続導体３に電気的且つ物理的に接続されている。複数の第１の内部電極３０〜３２の引き出し電極部分３０ｃ〜３２ｃはそれぞれ、主電極部分３１ａの第２の端面Ｌ６ｄ側の端部から第２の端面Ｌ６ｄに向けて伸びており、第２の外部接続導体４に電気的且つ物理的に接続されている。
【０１８０】
各第２の内部電極４０〜４３は、主電極部分４０ａ〜４３ａと、第２の端子電極２Ａ〜２Ｄと同じ数（本実施形態では４つ）の引き出し電極部分４０ｂ〜４３ｂ、４０ｃ〜４３ｃ、４０ｄ〜４３ｄ、４０ｅ〜４３ｅとを含んでいる。主電極部分４０ａ〜４３ａは、長方形状を呈しており、第１及び第２の主面Ｌ６ａ、Ｌ６ｂの長辺方向を長辺方向としている。
【０１８１】
第２の内部電極４０〜４３の引き出し電極部分４０ｂ〜４３ｂは、主電極部分４０ａ〜４３ａの第１の側面Ｌ６ｅ側の端部から第１の側面Ｌ６ｅに向けて伸びており、第２の端子電極２Ａに電気的且つ物理的に接続されている。第２の内部電極４０〜４３の引き出し電極部分４０ｃ〜４３ｃは、主電極部分４０ａ〜４３ａの第１の側面Ｌ６ｅ側の端部から第１の側面Ｌ６ｅに向けて伸びており、第２の端子電極２Ｂに電気的且つ物理的に接続されている。第２の内部電極４０〜４３の引き出し電極部分４０ｄ〜４３ｄは、主電極部分４０ａ〜４３ａの第２の側面Ｌ６ｆ側の端部から第２の側面Ｌ６ｆに向けて伸びており、第２の端子電極２Ｃに電気的且つ物理的に接続されている。第２の内部電極４０〜４３の引き出し電極部分４０ｅ〜４３ｅは、主電極部分４０ａ〜４３ａの第２の側面Ｌ６ｆ側の端部から第２の側面Ｌ６ｆに向けて伸びており、第２の端子電極２Ｄに電気的且つ物理的に接続されている。
【０１８２】
このように、第２の内部電極４０〜４３の主電極部分４０ａ〜４３ａは第２の内部電極４０〜４３の複数の引き出し電極部分４０ｂ〜４３ｂ、４０ｃ〜４３ｃ、４０ｄ〜４３ｄ、４０ｅ〜４３ｅそれぞれを介して複数の第２の端子電極２Ａ〜２Ｄそれぞれに接続されている。
【０１８３】
第１の内部電極３０〜３２の主電極部分３０ａ〜３２ａと第２の内部電極４０〜４３の主電極部分４０ａ〜４３ａとは、誘電体層１２〜１７を挟んで対向しており、協働して所定の静電容量成分を形成する。
【０１８４】
内部接続導体層５０、６０はそれぞれ、第１の内部接続導体５１、６１及び第２の内部接続導体５２、６２を有する。内部接続導体層５０において第１及び第２の内部接続導体５１、５２は、第１及び第２の端面Ｌ６ｃ、Ｌ６ｄの対向方向に沿って併置されている。内部接続導体層６０において第１及び第２の内部接続導体６１、６２は、第１及び第２の端面Ｌ６ｃ、Ｌ６ｄの対向方向に沿って併置されている。具体的には、第１の内部接続導体５１、６１が第１の端面Ｌ６ｃ側に位置し、第２の内部接続導体５２、６２が第２の端面Ｌ６ｄ側に位置している。
【０１８５】
第１の内部接続導体５１、６１は、第１導体部分５１ａ、６１ａと、第２導体部分５１ｂ、６１ｂとを含んでいる。第１導体部分５１ａ、６１ａは、長方形状を呈しており、第１及び第２の主面Ｌ６ａ、Ｌ６ｂの長辺方向を長辺方向としている。第１導体部分５１ａの長辺は、第１及び第２の主面Ｌ６ａ、Ｌ６ｂの対向方向で見て、第１の端子電極１Ｃに相当する位置から第１の端面Ｌ６ｃに向けて伸びている。第１導体部分６１ａの長辺は、第１及び第２の主面Ｌ６ａ、Ｌ６ｂの対向方向で見て、第１の端子電極１Ａに相当する位置から第１の端面Ｌ６ｃに向けて伸びている。そして、第１導体部分５１ａ、６１ａは、第１の端面Ｌ６ｃに引き出されている。第１導体部分５１ａ、６１ａは、第１の外部接続導体３に電気的且つ物理的に接続されている。
【０１８６】
第１導体部分５１ａ、６１ａの短辺は、第１及び第２の主面Ｌ６ａ、Ｌ６ｂの対向方向で見て、第１の外部接続導体３に対応する位置に位置する。
【０１８７】
第１の内部接続導体５１の第２導体部分５１ｂは、第１導体部分５１ａの第２の側面Ｌ６ｆ側の長辺における第２の端面Ｌ６ｄ側端部から第２の側面Ｌ６ｆに向けて伸びており、第２の側面Ｌ６ｆまで引き出されている。第２導体部分５１ｂは、第１の端子電極１Ｃに電気的且つ物理的に接続されている。
【０１８８】
第１の内部接続導体６１の第２導体部分６１ｂは、第１導体部分６１ａの第１の側面Ｌ６ｅ側の長辺における第２の端面Ｌ６ｄ側端部から第１の側面Ｌ６ｅに向けて伸びており、第１の側面Ｌ６ｅまで引き出されている。第２導体部分６１ｂは、第１の端子電極１Ａに電気的且つ物理的に接続されている。
【０１８９】
第２の内部接続導体５２、６２は、第４導体部分５２ａ、６２ａと、第５導体部分５２ｂ、６２ｂとを含んでいる。第４導体部分５２ａ、６２ａは、長方形状を呈しており、第１及び第２の主面Ｌ６ａ、Ｌ６ｂの長辺方向を長辺方向としている。第１導体部分５２ａの長辺は、第１及び第２の主面Ｌ６ａ、Ｌ６ｂの対向方向で見て、第１の端子電極１Ｂに相当する位置から第２の端面Ｌ６ｄに向けて伸びている。第１導体部分６２ａの長辺は、第１及び第２の主面Ｌ６ａ、Ｌ６ｂの対向方向で見て、第１の端子電極１Ｄに相当する位置から第２の端面Ｌ６ｄに向けて伸びている。そして、第４導体部分５２ａ、６２ａは、第２の端面Ｌ６ｄに引き出されている。第４導体部分５２ａ、６２ａは、第２の外部接続導体４に電気的且つ物理的に接続されている。
【０１９０】
第４導体部分５２ａ、６２ａの短辺は、第１及び第２の主面Ｌ６ａ、Ｌ６ｂの対向方向で見て、第２の外部接続導体４に対応する位置に位置する。
【０１９１】
第２の内部接続導体５２の第５導体部分５２ｂは、第４導体部分５２ａの第１の側面Ｌ６ｅ側の長辺における第１の端面Ｌ６ｃ側端部から第１の側面Ｌ６ｅに向けて伸びており、第１の側面Ｌ６ｅまで引き出されている。第５導体部分５２ｂは、第１の端子電極１Ｂに電気的且つ物理的に接続されている。
【０１９２】
第２の内部接続導体６２の第５導体部分６２ｂは、第４導体部分６２ａの第２の側面Ｌ６ｆ側の長辺における第１の端面Ｌ６ｃ側端部から第２の側面Ｌ６ｆに向けて伸びており、第２の側面Ｌ６ｆまで引き出されている。第５導体部分６２ｂは、第１の端子電極１Ｄに電気的且つ物理的に接続されている。
【０１９３】
第１の内部電極３０〜３２の主電極部分３０ａ〜３２ａは、第１の外部接続導体３及び第１の内部接続導体５１を介して第１の端子電極１Ｃに、第１の外部接続導体３及び第１の内部接続導体６１を介して第１の端子電極１Ａに、電気的に接続される。第１の内部電極３０〜３２の主電極部分３０ａ〜３２ａは、第２の外部接続導体４及び第２の内部接続導体５２を介して第１の端子電極１Ｂに、第２の外部接続導体４及び第２の内部接続導体６２を介して第１の端子電極１Ｄに電気的に接続される。
【０１９４】
積層コンデンサＣ６では、第１の内部電極３０〜３２は第１の端子電極１Ａ〜１Ｄに直接接続されていない。その代わり、積層コンデンサＣ６の第１の内部電極３０〜３２は、第１の外部接続導体３及び第１の内部接続導体５１、６１を介して、第１の端子電極１Ａ、１Ｃに電気的に接続される。積層コンデンサＣ６の第１の内部電極３０〜３２は、第２の外部接続導体４及び第２の内部接続導体５２、６２を介して、第１の端子電極１Ｂ、１Ｄに電気的に接続される。その結果、積層コンデンサＣ６では、すべての第１の内部電極が第１の端子電極に物理的に接続されている従来の積層コンデンサに比べ、等価直列抵抗を大きくすることが可能となる。
【０１９５】
特に、積層コンデンサＣ６では、第２の内部電極４０〜４３は第２の端子電極２Ａ〜２Ｄに直接、物理的に接続されている。そのため、積層コンデンサＣ６の等価直接抵抗を適度な大きさ、すなわち過度に大きくならない程度に大きくすることが可能となる。
【０１９６】
また、積層コンデンサＣ６では、各第２の内部電極４０〜４３は、複数（本実施形態では各４つ）の引き出し電極部分４０ｂ〜４３ｂ、４０ｃ〜４３ｃ、４０ｄ〜４３ｄ、４０ｅ〜４３ｅを含む。そのため、等価直列抵抗をその分だけ制御することが可能となる。これにより、積層コンデンサＣ６の等価直接抵抗を適度な大きさ、すなわち過度に大きくならない程度に大きくすることが可能となる。
【０１９７】
また、積層コンデンサＣ６は、第１及び第２の主面Ｌ６ａ、Ｌ６ｂの対向方向で見たときに、第１及び第２の端子電極１Ａ〜１Ｄ、２Ａ〜２Ｄが第１及び第２の側面Ｌ６ｅ、Ｌ６ｆ上において交互に位置するような配置を含む。この場合、第１の側面Ｌ６ｅ上において、隣り合う端子電極を異極性に接続することが可能となり、等価直列インダクタンスを小さくすることが可能となる。
（第７実施形態）
【０１９８】
図１３及び図１４を参照して、第７実施形態に係る積層コンデンサの構成について説明する。第７実施形態に係る積層コンデンサＣ７は、第１及び第２の内部接続導体と第１の端子電極との接続関係の点で第４実施形態に係る積層コンデンサＣ４と相違する。図１３は、第７実施形態に係る積層コンデンサの斜視図である。第７実施形態に係る積層コンデンサに含まれるコンデンサ素体の分解斜視図である。
【０１９９】
第７実施形態に係る積層コンデンサＣ７は、図１３に示すように、直方体状をしたコンデンサ素体Ｌ７と、コンデンサ素体Ｌ７の外表面に配置された複数（本実施形態では４つ）の第１の端子電極１Ａ〜１Ｄ、複数（本実施形態では４つ）の第２の端子電極２Ａ〜２Ｄ、第１の外部接続導体３、及び第２の外部接続導体４とを備える。コンデンサ素体Ｌ７は、コンデンサ素体Ｌ４同様、相対向する長方形状の第１の主面Ｌ７ａ及び第２の主面Ｌ７ｂと、相対向する第１の端面Ｌ７ｃ及び第２の端面Ｌ７ｄと、相対向する第１の側面Ｌ７ｅ及び第２の側面Ｌ７ｆとを含んでいる。
【０２００】
コンデンサ素体Ｌ７の第１の側面Ｌ７ｅには、第１の端子電極１Ａ、１Ｂ、及び第２の端子電極２Ａ、２Ｂが、第１の端面Ｌ７ｃ側から第２の端面Ｌ７ｄ側に向かって、第２の端子電極２Ａ、第１の端子電極１Ａ、第１の端子電極１Ｂ、第２の端子電極２Ｂの順で配置されている。
【０２０１】
コンデンサ素体Ｌ７の第２の側面Ｌ７ｆには、第１の端子電極１Ｃ、１Ｄ、及び第２の端子電極２Ｃ、２Ｄが、第１の端面Ｌ７ｃ側から第２の端面Ｌ７ｄ側に向かって、第２の端子電極２Ｃ、第１の端子電極１Ｃ、第１の端子電極１Ｄ、第２の端子電極２Ｄの順で配置されている。
【０２０２】
コンデンサ素体Ｌ７の第１の端面Ｌ７ｃには、第１の外部接続導体３が配置されている。コンデンサ素体Ｌ７の第２の端面Ｌ７ｄには、第２の外部接続導体４が配置されている。
【０２０３】
コンデンサ素体Ｌ７は、図１４に示されるように、複数（本実施形態では１０層）の誘電体層１０〜１９と、複数（本実施形態では２層）の第１の内部電極３０、３１と、複数（本実施形態では３層）の第２の内部電極４０〜４２とを有している。コンデンサ素体Ｌ７は、さらに、複数（本実施形態では各２つ）の第１及び第２の内部接続導体５１、６１、５２、６２を含んでいる。複数の第１及び第２の内部電極３０、３１、４０〜４２は、誘電体層１３〜１６を介して交互に配置されている。
【０２０４】
また、第１及び第２の内部接続導体５１、６１、５２、６２は何れも、交互に配置された第１及び第２の内部電極３０、３１、４０〜４２の、第１及び第２の主面Ｌ７ａ、Ｌ７ｂの対向方向における外側に配置されている。誘電体層１３〜１６を介して交互に配置された第１及び第２の内部電極３０、３１、４０〜４２は、第２の内部接続導体５２と第１の内部接続導体６１との間に位置する。第２の内部接続導体５２は、第１の内部接続導体５１と第２の内部電極４０との間に位置する。第１の内部接続導体６１は、第２の内部接続導体６２と第２の内部電極４２との間に位置する。
【０２０５】
第１の内部電極３０、３１と第２の内部電極４０〜４２とは、コンデンサ素体Ｌ７において、誘電体層１０〜１９の積層方向、すなわち第１及び第２の主面Ｌ７ａ、Ｌ７ｂの対向方向に交互に配置されている。第１及び第２の内部電極３０、３１、４０〜４２はそれぞれ、少なくとも一つの誘電体層１３〜１６を挟んで対向するように配置されている。
【０２０６】
各第１の内部電極３０、３１は、主電極部分３０ａ、３１ａと、引き出し電極部分３０ｂ、３１ｂと、引き出し電極部分３０ｃ、３１ｃとを含んでいる。主電極部分３０ａ、３１ａは、長方形状を呈しており、第１及び第２の主面Ｌ７ａ、Ｌ７ｂの長辺方向を長辺方向としている。
【０２０７】
複数の第１の内部電極３０、３１の引き出し電極部分３０ｂ、３１ｂはそれぞれ、主電極部分３０ａ、３１ａの第１の端面Ｌ７ｃ側の端部から第１の端面Ｌ７ｃに向けて伸びており、第１の外部接続導体３に電気的且つ物理的に接続されている。複数の第１の内部電極３０、３１の引き出し電極部分３０ｃ、３１ｃはそれぞれ、主電極部分３０ａ、３１ａの第２の端面Ｌ７ｄ側の端部から第２の端面Ｌ７ｄに向けて伸びており、第２の外部接続導体４に電気的且つ物理的に接続されている。
【０２０８】
各第２の内部電極４０〜４２は、主電極部分４０ａ〜４２ａと、第２の端子電極２Ａ〜２Ｄと同じ数（本実施形態では４つ）の引き出し電極部分４０ｂ〜４２ｂ、４０ｃ〜４２ｃ、４０ｄ〜４２ｄ、４０ｅ〜４２ｅとを含んでいる。主電極部分４０ａ〜４２ａは、長方形状を呈しており、第１及び第２の主面Ｌ７ａ、Ｌ７ｂの長辺方向を長辺方向としている。
【０２０９】
第２の内部電極４０〜４２の引き出し電極部分４０ｂ〜４２ｂは、主電極部分４０ａ〜４２ａの第１の側面Ｌ７ｅ側の端部から第１の側面Ｌ７ｅに向けて伸びており、第２の端子電極２Ａに電気的且つ物理的に接続されている。第２の内部電極４０〜４２の引き出し電極部分４０ｃ〜４２ｃは、主電極部分４０ａ〜４２ａの第１の側面Ｌ７ｅ側の端部から第１の側面Ｌ７ｅに向けて伸びており、第２の端子電極２Ｂに電気的且つ物理的に接続されている。第２の内部電極４０〜４２の引き出し電極部分４０ｄ〜４２ｄは、主電極部分４０ａ〜４２ａの第２の側面Ｌ７ｆ側の端部から第２の側面Ｌ７ｆに向けて伸びており、第２の端子電極２Ｃに電気的且つ物理的に接続されている。第２の内部電極４０〜４２の引き出し電極部分４０ｅ〜４２ｅは、主電極部分４０ａ〜４２ａの第２の側面Ｌ７ｆ側の端部から第２の側面Ｌ７ｆに向けて伸びており、第２の端子電極２Ｄに電気的且つ物理的に接続されている。
【０２１０】
このように、第２の内部電極４０〜４２の主電極部分４０ａ〜４２ａは第２の内部電極４０〜４２の複数の引き出し電極部分４０ｂ〜４２ｂ、４０ｃ〜４２ｃ、４０ｄ〜４２ｄ、４０ｅ〜４２ｅそれぞれを介して複数の第２の端子電極２Ａ〜２Ｄそれぞれに接続されている。
【０２１１】
第１の内部電極３０、３１の主電極部分３０ａ、３１ａと第２の内部電極４０〜４２の主電極部分４０ａ〜４２ａとは、誘電体層１３〜１６を挟んで対向しており、協働して所定の静電容量成分を形成する。
【０２１２】
第１の内部接続導体５１、６１は、第１導体部分５１ａ、６１ａと、第２導体部分５１ｂ、６１ｂとを含んでいる。第１導体部分５１ａ、６１ａは、長方形状を呈しており、第１及び第２の主面Ｌ７ａ、Ｌ７ｂの長辺方向を長辺方向としている。第１導体部分５１ａの長辺は、第１及び第２の主面Ｌ７ａ、Ｌ７ｂの対向方向で見て、第１の端子電極１Ｃに相当する位置から第１の端面Ｌ７ｃに向けて伸びている。第１導体部分６１ａの長辺は、第１及び第２の主面Ｌ７ａ、Ｌ７ｂの対向方向で見て、第１の端子電極１Ａに相当する位置から第１の端面Ｌ７ｃに向けて伸びている。そして、第１導体部分５１ａ、６１ａは、第１の端面Ｌ７ｃに引き出されている。第１導体部分５１ａ、６１ａは、第１の外部接続導体３に電気的且つ物理的に接続されている。
【０２１３】
第１導体部分５１ａ、６１ａの短辺は、第１及び第２の主面Ｌ７ａ、Ｌ７ｂの対向方向で見て、第１の外部接続導体３に対応する位置に位置する。
【０２１４】
第１の内部接続導体５１の第２導体部分５１ｂは、第１導体部分５１ａの第２の側面Ｌ７ｆ側の長辺における第２の端面Ｌ７ｄ側端部から第２の側面Ｌ７ｆに向けて伸びており、第２の側面Ｌ７ｆまで引き出されている。第２導体部分５１ｂは、第１の端子電極１Ｃに電気的且つ物理的に接続されている。
【０２１５】
第１の内部接続導体６１の第２導体部分６１ｂは、第１導体部分６１ａの第１の側面Ｌ７ｅ側の長辺における第２の端面Ｌ７ｄ側端部から第１の側面Ｌ７ｅに向けて伸びており、第１の側面Ｌ７ｅまで引き出されている。第２導体部分６１ｂは、第１の端子電極１Ａに電気的且つ物理的に接続されている。
【０２１６】
第２の内部接続導体５２、６２は、第４導体部分５２ａ、６２ａと、第５導体部分５２ｂ、６２ｂとを含んでいる。第４導体部分５２ａ、６２ａは、長方形状を呈しており、第１及び第２の主面Ｌ７ａ、Ｌ７ｂの長辺方向を長辺方向としている。第１導体部分５２ａの長辺は、第１及び第２の主面Ｌ７ａ、Ｌ７ｂの対向方向で見て、第１の端子電極１Ｂに相当する位置から第２の端面Ｌ７ｄに向けて伸びている。第１導体部分６２ａの長辺は、第１及び第２の主面Ｌ７ａ、Ｌ７ｂの対向方向で見て、第１の端子電極１Ｄに相当する位置から第２の端面Ｌ７ｄに向けて伸びている。そして、第４導体部分５２ａ、６２ａは、第２の端面Ｌ７ｄに引き出されている。第４導体部分５２ａ、６２ａは、第２の外部接続導体４に電気的且つ物理的に接続されている。
【０２１７】
第４導体部分５２ａ、６２ａの短辺は、第１及び第２の主面Ｌ７ａ、Ｌ７ｂの対向方向で見て、第２の外部接続導体４に対応する位置に位置する。
【０２１８】
第２の内部接続導体５２の第５導体部分５２ｂは、第４導体部分５２ａの第１の側面Ｌ７ｅ側の長辺における第１の端面Ｌ７ｃ側端部から第１の側面Ｌ７ｅに向けて伸びており、第１の側面Ｌ７ｅまで引き出されている。第５導体部分５２ｂは、第１の端子電極１Ｂに電気的且つ物理的に接続されている。
【０２１９】
第２の内部接続導体６２の第５導体部分６２ｂは、第４導体部分６２ａの第２の側面Ｌ７ｆ側の長辺における第１の端面Ｌ７ｃ側端部から第２の側面Ｌ７ｆに向けて伸びており、第２の側面Ｌ７ｆまで引き出されている。第５導体部分６２ｂは、第１の端子電極１Ｄに電気的且つ物理的に接続されている。
【０２２０】
第１の内部電極３０、３１の主電極部分３０ａ、３１ａは、第１の外部接続導体３及び第１の内部接続導体５１を介して第１の端子電極１Ｃに、第１の外部接続導体３及び第１の内部接続導体６１を介して第１の端子電極１Ａに、電気的に接続される。第１の内部電極３０、３１の主電極部分３０ａ、３１ａは、第２の外部接続導体４及び第２の内部接続導体５２を介して第１の端子電極１Ｂに、第２の外部接続導体４及び第２の内部接続導体６２を介して第１の端子電極１Ｄに電気的に接続される。
【０２２１】
積層コンデンサＣ７では、第１の内部電極３０、３１は第１の端子電極１Ａ〜１Ｄに直接接続されていない。その代わり、積層コンデンサＣ７の第１の内部電極３０、３１は、第１の外部接続導体３及び第１の内部接続導体５１、６１を介して、第１の端子電極１Ａ、１Ｃに電気的に接続される。積層コンデンサＣ７の第１の内部電極３０、３１は、第２の外部接続導体４及び第２の内部接続導体５２、６２を介して、第１の端子電極１Ｂ、１Ｄに電気的に接続される。その結果、積層コンデンサＣ７では、すべての第１の内部電極が第１の端子電極に物理的に接続されている従来の積層コンデンサに比べ、等価直列抵抗を大きくすることが可能となる。
【０２２２】
特に、積層コンデンサＣ７では、第２の内部電極４０〜４２は第２の端子電極２Ａ〜２Ｄに直接、物理的に接続されている。そのため、積層コンデンサＣ７の等価直接抵抗を適度な大きさ、すなわち過度に大きくならない程度に大きくすることが可能となる。
【０２２３】
また、積層コンデンサＣ７では、各第２の内部電極４０〜４２は、複数（本実施形態では各４つ）の引き出し電極部分４０ｂ〜４２ｂ、４０ｃ〜４２ｃ、４０ｄ〜４２ｄ、４０ｅ〜４２ｅを含む。そのため、等価直列抵抗をその分だけ制御することが可能となる。これにより、積層コンデンサＣ７の等価直接抵抗を適度な大きさ、すなわち過度に大きくならない程度に大きくすることが可能となる。
【０２２４】
また、積層コンデンサＣ７は、第１及び第２の主面Ｌ７ａ、Ｌ７ｂの対向方向で見たときに、第１及び第２の端子電極１Ａ〜１Ｄ、２Ａ〜２Ｄが第１及び第２の側面Ｌ７ｅ、Ｌ７ｆ上において交互に位置するような配置を含む。この場合、第１の側面Ｌ７ｅ上において、隣り合う端子電極を異極性に接続することが可能となり、等価直列インダクタンスを小さくすることが可能となる。
（第８実施形態）
【０２２５】
図１５及び図１６を参照して、第８実施形態に係る積層コンデンサの構成について説明する。図１５は、第８実施形態に係る積層コンデンサの斜視図である。第８実施形態に係る積層コンデンサに含まれるコンデンサ素体の分解斜視図である。
【０２２６】
第８実施形態に係る積層コンデンサＣ８は、図１５に示すように、直方体状をしたコンデンサ素体Ｌ８と、コンデンサ素体Ｌ８の外表面に配置された複数（本実施形態では２つ）の第１の端子電極１Ａ、１Ｂ、複数（本実施形態では４つ）の第２の端子電極２Ａ〜２Ｄ、第１の外部接続導体３、及び第２の外部接続導体４とを備える。コンデンサ素体Ｌ８は、相対向する長方形状の第１の主面Ｌ８ａ及び第２の主面Ｌ８ｂと、相対向する第１の端面Ｌ８ｃ及び第２の端面Ｌ８ｄと、相対向する第１の側面Ｌ８ｅ及び第２の側面Ｌ８ｆとを含んでいる。第１及び第２の端面Ｌ８ｃ、Ｌ８ｄは、第１及び第２の主面Ｌ８ａ、Ｌ８ｂ間を連結するように第１及び第２の主面Ｌ８ａ、Ｌ８ｂの短辺方向に伸びている。第１及び第２の側面Ｌ８ｅ、Ｌ８ｆは、第１及び第２の主面Ｌ８ａ、Ｌ８ｂ間を連結するように第１及び第２の主面Ｌ８ａ、Ｌ８ｂの長辺方向に伸びている。
【０２２７】
コンデンサ素体Ｌ８の第１の側面Ｌ８ｅには、第１の端子電極１Ａ、及び第２の端子電極２Ａ、２Ｂが、第１の端面Ｌ８ｃ側から第２の端面Ｌ８ｄ側に向かって、第２の端子電極２Ａ、第１の端子電極１Ａ、第２の端子電極２Ｂの順で配置されている。
【０２２８】
コンデンサ素体Ｌ８の第２の側面Ｌ８ｆには、第１の端子電極１Ｂ、及び第２の端子電極２Ｃ、２Ｄが、第１の端面Ｌ８ｃ側から第２の端面Ｌ８ｄ側に向かって、第２の端子電極２Ｃ、第１の端子電極１Ｂ、第２の端子電極２Ｄの順で配置されている。
【０２２９】
コンデンサ素体Ｌ８の第１の端面Ｌ８ｃには、第１の外部接続導体３が配置されている。コンデンサ素体Ｌ８の第２の端面Ｌ８ｄには、第２の外部接続導体４が配置されている。
【０２３０】
コンデンサ素体Ｌ８は、図１６に示されるように、複数（本実施形態では１０層）の誘電体層１０〜１９と、複数（本実施形態では３層）の第１の内部電極３０〜３２と、複数（本実施形態では４層）の第２の内部電極４０〜４３とを有している。コンデンサ素体Ｌ８は、さらに、複数（本実施形態では２層）の内部接続導体層５０、６０を含んでいる。複数の第１及び第２の内部電極３０〜３２、４０〜４３は、誘電体層１２〜１７を介して交互に配置されている。また、内部接続導体層５０、６０は何れも、交互に配置された第１及び第２の内部電極３０〜３２、４０〜４３の、第１及び第２の主面Ｌ８ａ、Ｌ８ｂの対向方向における外側に配置されている。誘電体層１２〜１７を介して交互に配置された第１及び第２の内部電極３０〜３２、４０〜４３は、内部接続導体層５０と内部接続導体層６０との間に位置する。
【０２３１】
第１の内部電極３０〜３２と第２の内部電極４０〜４３とは、コンデンサ素体Ｌ８において、誘電体層１０〜１９の積層方向、すなわち第１及び第２の主面Ｌ８ａ、Ｌ８ｂの対向方向に交互に配置されている。第１及び第２の内部電極３０〜３２、４０〜４３はそれぞれ、少なくとも一つの誘電体層１２〜１７を挟んで対向するように配置されている。
【０２３２】
各第１の内部電極３０〜３２は、主電極部分３０ａ〜３２ａと、引き出し電極部分３０ｂ〜３２ｂと、引き出し電極部分３０ｃ〜３２ｃとを含んでいる。主電極部分３０ａ〜３２ａは、長方形状を呈しており、第１及び第２の主面Ｌ８ａ、Ｌ８ｂの長辺方向を長辺方向としている。
【０２３３】
複数の第１の内部電極３０〜３２の引き出し電極部分３０ｂ〜３２ｂはそれぞれ、主電極部分３０ａ、３２ａの第１の端面Ｌ８ｃ側の端部から第１の端面Ｌ８ｃに向けて伸びており、第１の外部接続導体３に電気的且つ物理的に接続されている。複数の第１の内部電極３０〜３２の引き出し電極部分３０ｃ〜３２ｃはそれぞれ、主電極部分３１ａの第２の端面Ｌ８ｄ側の端部から第２の端面Ｌ８ｄに向けて伸びており、第２の外部接続導体４に電気的且つ物理的に接続されている。
【０２３４】
各第２の内部電極４０〜４３は、主電極部分４０ａ〜４３ａと、第２の端子電極２Ａ〜２Ｄと同じ数（本実施形態では４つ）の引き出し電極部分４０ｂ〜４３ｂ、４０ｃ〜４３ｃ、４０ｄ〜４３ｄ、４０ｅ〜４３ｅとを含んでいる。主電極部分４０ａ〜４３ａは、長方形状を呈しており、第１及び第２の主面Ｌ８ａ、Ｌ８ｂの長辺方向を長辺方向としている。
【０２３５】
第２の内部電極４０〜４３の引き出し電極部分４０ｂ〜４３ｂは、主電極部分４０ａ〜４３ａの第１の側面Ｌ８ｅ側の端部から第１の側面Ｌ８ｅに向けて伸びており、第２の端子電極２Ａに電気的且つ物理的に接続されている。第２の内部電極４０〜４３の引き出し電極部分４０ｃ〜４３ｃは、主電極部分４０ａ〜４３ａの第１の側面Ｌ８ｅ側の端部から第１の側面Ｌ８ｅに向けて伸びており、第２の端子電極２Ｂに電気的且つ物理的に接続されている。第２の内部電極４０〜４３の引き出し電極部分４０ｄ〜４３ｄは、主電極部分４０ａ〜４３ａの第２の側面Ｌ８ｆ側の端部から第２の側面Ｌ８ｆに向けて伸びており、第２の端子電極２Ｃに電気的且つ物理的に接続されている。第２の内部電極４０〜４３の引き出し電極部分４０ｅ〜４３ｅは、主電極部分４０ａ〜４３ａの第２の側面Ｌ８ｆ側の端部から第２の側面Ｌ８ｆに向けて伸びており、第２の端子電極２Ｄに電気的且つ物理的に接続されている。
【０２３６】
このように、第２の内部電極４０〜４３の主電極部分４０ａ〜４３ａは第２の内部電極４０〜４３の複数の引き出し電極部分４０ｂ〜４３ｂ、４０ｃ〜４３ｃ、４０ｄ〜４３ｄ、４０ｅ〜４３ｅそれぞれを介して複数の第２の端子電極２Ａ〜２Ｄそれぞれに接続されている。
【０２３７】
第１の内部電極３０〜３２の主電極部分３０ａ〜３２ａと第２の内部電極４０〜４３の主電極部分４０ａ〜４３ａとは、誘電体層１２〜１７を挟んで対向しており、協働して所定の静電容量成分を形成する。
【０２３８】
内部接続導体層５０、６０はそれぞれ、第１の内部接続導体５１、６１及び第２の内部接続導体５２、６２を有する。内部接続導体層５０において第１及び第２の内部接続導体５１、５２は、第１及び第２の端面Ｌ８ｃ、Ｌ８ｄの対向方向に沿って併置されている。内部接続導体層６０において第１及び第２の内部接続導体６１、６２は、第１及び第２の端面Ｌ８ｃ、Ｌ８ｄの対向方向に沿って併置されている。具体的には、第１の内部接続導体５１、６１が第１の端面Ｌ８ｃ側に位置し、第２の内部接続導体５２、６２が第２の端面Ｌ８ｄ側に位置している。
【０２３９】
第１の内部接続導体５１、６１は、第１導体部分５１ａ、６１ａと、第２導体部分５１ｂ、６１ｂとを含んでいる。第１導体部分５１ａ、６１ａは、長方形状を呈しており、第１及び第２の主面Ｌ８ａ、Ｌ８ｂの長辺方向を長辺方向としている。第１導体部分５１ａ、６１ａの長辺は、第１及び第２の主面Ｌ８ａ、Ｌ８ｂの対向方向で見て、第１の端子電極１Ｂに相当する位置より第１の端面Ｌ８ｃ側から第１の端面Ｌ８ｃに向けて伸びている。そして、第１導体部分５１ａ、６１ａは、第１の端面Ｌ８ｃに引き出されている。第１導体部分５１ａ、６１ａは、第１の外部接続導体３に電気的且つ物理的に接続されている。
【０２４０】
第１導体部分５１ａ、６１ａの短辺は、第１及び第２の主面Ｌ８ａ、Ｌ８ｂの対向方向で見て、第１の外部接続導体３に対応する位置に位置する。
【０２４１】
第１の内部接続導体５１、６１の第２導体部分５１ｂ、６１ｂは、第１導体部分５１ａ、６１ａの第２の側面Ｌ８ｆ側の長辺における第２の端面Ｌ８ｄ側端部から第２の側面Ｌ８ｆに向けて伸びており、第２の側面Ｌ８ｆまで引き出されている。具体的には、第２導体部分５１ｂ、６１ｂは、第１導体部分５１ａ、６１ａから第２の側面Ｌ８ｆに向かい第２の側面Ｌ８ｆの手前まで、第１及び第２の側面Ｌ８ｅ、Ｌ８ｆの対向方向に沿って伸びる領域と、当該領域から第２の端面Ｌ８ｄに向かう方向に伸びる領域と、当該領域から第１及び第２の側面Ｌ８ｅ、Ｌ８ｆの対向方向に沿って第２の側面Ｌ８ｆまで伸びる領域とを含む。第２導体部分５１ｂ、６１ｂは、第１の端子電極１Ｃに電気的且つ物理的に接続されている。
【０２４２】
第２の内部接続導体５２、６２は、第４導体部分５２ａ、６２ａと、第５導体部分５２ｂ、６２ｂとを含んでいる。第４導体部分５２ａ、６２ａは、長方形状を呈しており、第１及び第２の主面Ｌ８ａ、Ｌ８ｂの長辺方向を長辺方向としている。第４導体部分５２ａ、６２ａの長辺は、第１及び第２の主面Ｌ８ａ、Ｌ８ｂの対向方向で見て、第１の端子電極１Ａに相当する位置より第２の端面Ｌ８ｄ側から第２の端面Ｌ８ｄに向けて伸びている。そして、第４導体部分５２ａ、６２ａは、第２の端面Ｌ８ｄに引き出されている。第４導体部分５２ａ、６２ａは、第２の外部接続導体４に電気的且つ物理的に接続されている。
【０２４３】
第４導体部分５２ａ、６２ａの短辺は、第１及び第２の主面Ｌ８ａ、Ｌ８ｂの対向方向で見て、第２の外部接続導体４に対応する位置に位置する。
【０２４４】
第２の内部接続導体５２、６２の第５導体部分５２ｂ、６２ｂは、第４導体部分５２ａ、６２ａの第１の側面Ｌ８ｅ側の長辺における第１の端面Ｌ８ｃ側端部から第１の側面Ｌ８ｅに向けて伸びており、第１の側面Ｌ８ｅまで引き出されている。具体的には、第５導体部分５２ｂ、６２ｂは、第４導体部分５２ａ、６２ａから第１の側面Ｌ８ｆに向かい第１の側面Ｌ８ｆの手前まで、第１及び第２の側面Ｌ８ｅ、Ｌ８ｆの対向方向に沿って伸びる領域と、当該領域から第１の端面Ｌ８ｃに向かう方向に伸びる領域と、当該領域から第１及び第２の側面Ｌ８ｅ、Ｌ８ｆの対向方向に沿って第１の側面Ｌ１ｅまで伸びる領域とを含む。第５導体部分５２ｂは、第１の端子電極１Ａに電気的且つ物理的に接続されている。
【０２４５】
第１の内部電極３０〜３２の主電極部分３０ａ〜３２ａは、第１の外部接続導体３及び第１の内部接続導体５１、６１を介して第１の端子電極１Ｂに電気的に接続される。第１の内部電極３０〜３２の主電極部分３０ａ〜３２ａは、第２の外部接続導体４及び第２の内部接続導体５２、６２を介して第１の端子電極１Ａに電気的に接続される。
【０２４６】
積層コンデンサＣ８では、第１の内部電極３０〜３２は第１の端子電極１Ａ、１Ｂに直接接続されていない。その代わり、積層コンデンサＣ８の第１の内部電極３０〜３２は、第１の外部接続導体３及び第１の内部接続導体５１、６１を介して、第１の端子電極１Ｂに電気的に接続される。積層コンデンサＣ８の第１の内部電極３０〜３２は、第２の外部接続導体４及び第２の内部接続導体５２、６２を介して、第１の端子電極１Ａに電気的に接続される。その結果、積層コンデンサＣ８では、すべての第１の内部電極が第１の端子電極に物理的に接続されている従来の積層コンデンサに比べ、等価直列抵抗を大きくすることが可能となる。
【０２４７】
特に、積層コンデンサＣ８では、第２の内部電極４０〜４３は第２の端子電極２Ａ〜２Ｄに直接、物理的に接続されている。そのため、積層コンデンサＣ８の等価直接抵抗を適度な大きさ、すなわち過度に大きくならない程度に大きくすることが可能となる。
【０２４８】
また、積層コンデンサＣ８では、各第２の内部電極４０〜４３は、複数（本実施形態では各４つ）の引き出し電極部分４０ｂ〜４３ｂ、４０ｃ〜４３ｃ、４０ｄ〜４３ｄ、４０ｅ〜４３ｅを含む。そのため、等価直列抵抗をその分だけ制御することが可能となる。これにより、積層コンデンサＣ８の等価直接抵抗を適度な大きさ、すなわち過度に大きくならない程度に大きくすることが可能となる。
【０２４９】
また、積層コンデンサＣ８は、第１及び第２の主面Ｌ８ａ、Ｌ８ｂの対向方向で見たときに、第１及び第２の端子電極１Ａ、１Ｂ、２Ａ〜２Ｄが第１及び第２の側面Ｌ８ｅ、Ｌ８ｆ上において交互に位置するような配置を含む。この場合、第１の側面Ｌ８ｅ上において、隣り合う端子電極を異極性に接続することが可能となり、等価直列インダクタンスを小さくすることが可能となる。
【０２５０】
以上、本発明の好適な実施形態について説明してきたが、本発明は必ずしも上述した実施形態に限定されるものではなく、その要旨を逸脱しない範囲で様々な変更が可能である。
【０２５１】
例えば、内部接続導体として、第１の内部接続導体のみを含んでいてもよい。また、第１及び第２の内部接続導体５１、６１、５２、６２はそれぞれ１つの外部接続導体のみでなく、複数の外部接続導体に接続してもよい。内部接続導体として第１の内部接続導体のみを含み、第１の内部接続導体が複数の外部接続導体に接続される場合の例として、第１実施形態の変形例を図１７に示す。図１７は、第１実施形態に係る積層コンデンサの変形例に含まれるコンデンサ素体の分解斜視図である。
【０２５２】
図１７に示されるように、第１実施形態の変形例では、各内部接続導体層５０、６０が第１の内部接続導体５１、６１のみを有している。第１の内部接続導体５１、６１は、第１の端子電極１Ａ〜１Ｄと第１の外部接続導体３と第２の外部接続導体４とに電気的且つ物理的に接続されている。第１実施形態の変形例では、各第１の内部接続導体５１、６１は、第１導体部分５１ａ、６１ａと、第２導体部分５１ｂ、６１ｂと、第３導体部分５１ｃ、６１ｃと、第４導体部分５１ｄ、６１ｄと、第５導体部分５１ｅ、６１ｅとを含んでいる。第１導体部分５１ａ、６１ａは、長方形状を呈しており、第１及び第２の主面Ｌ１ａ、Ｌ１ｂの長辺方向を長辺方向として、第１の端面Ｌ１ｃから第２の端面Ｌ１ｄに向けて伸びている。第１導体部分５１ａ、６１ａは、第１及び第２の端面Ｌ１ｃ、Ｌ１ｄの双方に引き出されている。第１導体部分５１ａ、６１ａは、第１及び第２の外部接続導体３、４の双方に電気的且つ物理的に接続されている。
【０２５３】
第１の内部接続導体５１、６１の第２及び第４導体部分５１ｂ、６１ｂ、５１ｄ、６１ｄは、第１導体部分５１ａ、６１ａの第１の側面Ｌ１ｅ側の長辺から第１の側面Ｌ１ｅに向けて伸びており、第１の側面Ｌ１ｅまで引き出されている。第２導体部分５１ｂ、６１ｂは第１の端子電極１Ａに、第４導体部分５１ｄ、６１ｄは第１の端子電極１Ｂに、それぞれ電気的且つ物理的に接続されている。
【０２５４】
第１の内部接続導体５１、６１の第３及び第５導体部分５１ｃ、６１ｃ、５１ｅ、６１ｅは、第１導体部分５１ａ、６１ａの第２の側面Ｌ１ｆ側の長辺から第２の側面Ｌ１ｆに向けて伸びており、第２の側面Ｌ１ｆまで引き出されている。第３及び第５導体部分５１ｃ、６１ｃは第１の端子電極１Ｃに、第３及び第５導体部分５１ｅ、６１ｅは第１の端子電極１Ｄに、それぞれ電気的且つ物理的に接続されている。
【０２５５】
第１実施形態に係る積層コンデンサの変形例でも積層コンデンサＣ１同様、すべての第１の内部電極が第１の端子電極に物理的に接続されている従来の積層コンデンサに比べ、等価直列抵抗を大きくすることが可能となる。
【０２５６】
なお、第１実施形態の変形例では、第１の内部接続導体が第１及び第２の外部接続導体３、４の双方に物理的且つ電気的に接続されている。したがって、各外部接続導体に異なる内部接続導体が接続されている第１実施形態に係る積層コンデンサＣ１と比較して、第１実施形態の変形例では等価直列抵抗を小さくすることが可能である。
【０２５７】
また、第１実施形態に係る積層コンデンサの変形例でも積層コンデンサＣ１同様、等価直列インダクタンスを小さくすることが可能である。
【０２５８】
第１実施形態以外の実施形態についても、第１の内部接続導体５１、６１を複数の外部接続導体に接続させるよう変形することができる。
【０２５９】
また、例えば、誘電体層１０〜１９の積層数、及び第１及び第２内部電極３０〜３２、４０〜４３の積層数は、上述した実施形態及び変形例に記載された数に限られない。また、内部接続導体５１、５２、６１、６２の数及びコンデンサ素体内での位置は、上述した実施形態及び変形例に記載された数及び位置に限られない。
【０２６０】
また、各第２の内部電極の主電極部分が接続される第２の端子電極の数は、上記実施形態及び変形例に記載された数に限られない。
【０２６１】
第１の内部接続導体５１、６１の形状は、上記実施形態及び変形例に記載された形状に限らず、複数の第１端子電極１Ａ〜１Ｄの少なくとも何れか１つ及び第１の外部接続導体３に接続されていればよい。第２の内部接続導体５２、６２の形状は、上記実施形態及び変形例に記載された形状に限らず、複数の第２端子電極２Ａ〜２Ｄの少なくとも何れか
１つ及び第２の外部接続導体４に接続されていればよい。
【０２６２】
また、第１及び第２端子電極１Ａ〜１Ｄ、２Ａ〜２Ｄの数も、上述した実施形態及び変形例に記載された数に限られない。したがって、例えば第１及び第２端子電極はそれぞれ１つであっても、あるいはそれぞれ５つ以上であっても、あるいは互いに異なる数であってもよい。また、外部接続導体３、４の数も、上述した実施形態に記載された数に限られない。したがって、例えば外部接続導体は１つであっても、あるいは３つ以上であってもよい。
【０２６３】
また、第１及び第２の端子電極１Ａ〜１Ｄ、２Ａ〜２Ｄ、並びに第１及び第２の外部接続導体３、４の位置も、上述した実施形態及び変形例に記載された位置に限られず、コンデンサ素体の外表面に形成されていればよい。
【０２６４】
また、第１及び第２の内部電極の対向方向で見たときに、コンデンサ素体の外表面において交互に配置されている第１及び第２の端子電極を有していなくてもよい。
上記実施形態は、ＣＰＵ、電力面の鳴きを沈静化させるためのサーバ・ボードへのデカップリング、電力供給回路の安定化等様々に応用可能である。
【０２６５】
以上の説明から明らかなように、本発明は様々な変形が可能である。このような変形は、本発明の範囲からの逸脱と見なされるべきではなく、当業者に明らかなこうした変形はすべて、特許請求の範囲の何れかの請求項の範囲内に含まれるものと考えられる。
【図面の簡単な説明】
【０２６６】
【図１】図１は、第１実施形態に係る積層コンデンサの斜視図である。
【図２】図２は、第１実施形態に係る積層コンデンサに含まれるコンデンサ素体の分解斜視図である。
【図３】図３は、第２実施形態に係る積層コンデンサの斜視図である。
【図４】図４は、第２実施形態に係る積層コンデンサに含まれるコンデンサ素体の分解斜視図である。
【図５】図５は、第３実施形態に係る積層コンデンサの斜視図である。
【図６】図６は、第３実施形態に係る積層コンデンサに含まれるコンデンサ素体の分解斜視図である。
【図７】図７は、第４実施形態に係る積層コンデンサの斜視図である。
【図８】図８は、第４実施形態に係る積層コンデンサに含まれるコンデンサ素体の分解斜視図である。
【図９】図９は、第５実施形態に係る積層コンデンサの斜視図である。
【図１０】図１０は、第５実施形態に係る積層コンデンサに含まれるコンデンサ素体の分解斜視図である。
【図１１】図１１は、第６実施形態に係る積層コンデンサの斜視図である。
【図１２】図１２は、第６実施形態に係る積層コンデンサに含まれるコンデンサ素体の分解斜視図である。
【図１３】図１３は、第７実施形態に係る積層コンデンサの斜視図である。
【図１４】図１４は、第７実施形態に係る積層コンデンサに含まれるコンデンサ素体の分解斜視図である。
【図１５】図１５は、第８実施形態に係る積層コンデンサの斜視図である。
【図１６】図１６は、第８実施形態に係る積層コンデンサに含まれるコンデンサ素体の分解斜視図である。
【図１７】図１７は、第１実施形態に係る積層コンデンサの変形例に含まれるコンデンサ素体の分解斜視図である。
【図１】
2008244484.tif 000003
【図２】
2008244484.tif 000004
【図３】
2008244484.tif 000005
【図４】
2008244484.tif 000006
【図５】
2008244484.tif 000007
【図６】
2008244484.tif 000008
【図７】
2008244484.tif 000009
【図８】
2008244484.tif 000010
【図９】
2008244484.tif 000011
【図１０】
2008244484.tif 000012
【図１１】
2008244484.tif 000013
【図１２】
2008244484.tif 000014
【図１３】
2008244484.tif 000015
【図１４】
2008244484.tif 000016
【図１５】
2008244484.tif 000017
【図１６】
2008244484.tif 000018
【図１７】
2008244484.tif 000019
【外国語明細書】
2008244484000001.pdf